(57)【要約】【課題】ユーザが他の人又は物体に注目した際に有用な光通信が行われるようにし、多様なコミュニケーション機会や情報提供サービスを創出する。【解決手段】光送信手段の発光部はユーザの視線方向に向かって光出力するようにされ、光受信手段の受光部は使用者の視線方向から到達した光を受光するようにされている。これにより、光通信装置を装着したユーザ同志の視線が合ったときに、その相互の光通信装置の間で光通信が行われ、各種の提供データの送受信が相互に行われるようにする。特に、同一グループに属していることを条件として、このような光通信が実行されるようにする。また光通信のログを保存し、ランキング集計を可能とする。【選択図】図９
2008199569.tif 000002
【特許請求の範囲】
【請求項１】
使用者の視線方向に向かって光出力するように設けられた発光部から情報を送信する光送信手段と、
使用者の視線方向から到達した光を受光するように設けられた受光部により情報を受信する光受信手段と、
他の光通信装置から光送信されてきた通信要求情報及び識別情報を上記光受信手段で受信した際、上記識別情報を用いて上記他の光通信装置が情報通信対象であるか否かの判別を行い、上記他の光通信装置が情報通信対象であると判別した場合には、通信応答情報を上記光送信手段から光送信させる制御手段と、
を備えたことを特徴とする光通信装置。
【請求項２】
提供情報を記憶する記憶手段をさらに備え、
上記制御手段は、上記他の光通信装置が情報通信対象であると判別した場合、上記通信応答情報に加えて上記記憶手段に記憶された提供情報を上記光送信手段から光送信させることを特徴とする請求項１に記載の光通信装置。
【請求項３】
提供情報を記憶する記憶手段をさらに備え、
他の光通信装置から光送信されてきた上記通信応答情報を上記光受信手段で受信した場合、上記制御手段は、上記記憶手段に記憶された提供情報を上記光送信手段から光送信させることを特徴とする請求項１に記載の光通信装置。
【請求項４】
表示手段をさらに備え、
上記制御手段は、他の光通信装置から送信されてきた情報に基づく表示を上記表示手段に実行させることを特徴とする請求項１に記載の光通信装置。
【請求項５】
上記制御手段は、上記通信要求情報及び識別情報を送信してきた他の光通信装置が情報通信対象であると判別した場合、上記識別情報に基づく表示を上記表示手段に実行させることを特徴とする請求項４に記載の光通信装置。
【請求項６】
他の光通信装置から光送信されてきた上記通信応答情報を上記光受信手段で受信した場合、上記制御手段は、上記識別情報に基づく表示を上記表示手段に実行させることを特徴とする請求項４に記載の光通信装置。
【請求項７】
他の光通信装置から光送信されてきた提供情報を上記光受信手段で受信した場合、上記制御手段は、上記提供情報に基づく表示を上記表示手段に実行させることを特徴とする請求項４に記載の光通信装置。
【請求項８】
上記表示手段は、使用者の目の前方に位置するように配置されて画像表示を行う構造とされることを特徴とする請求項４に記載の光通信装置。
【請求項９】
上記表示手段は、画像表示を行う画面領域の全部又は一部を透明もしくは半透明であるスルー状態とすることができることを特徴とする請求項４に記載の光通信装置。
【請求項１０】
上記制御手段は、他の光通信装置から送信されてきた情報に基づく表示を、上記表示手段における表示画面上に表れている上記他の光通信装置の近傍において実行させることを特徴とする請求項４に記載の光通信装置。
【請求項１１】
上記制御手段は、上記表示手段における表示画面に、他の光通信装置から送信されてきた情報に基づく表示を実行させる際に、上記表示画面で表示されている画像内容に応じて、他の光通信装置から送信されてきた情報の表示輝度、又は表示色、又は光透過率を可変制御することを特徴とする請求項４に記載の光通信装置。
【請求項１２】
上記制御手段は、他の光通信装置に対する通信要求情報及び自己の識別情報を、継続的に上記光送信手段から光送信させる制御を行うことを特徴とする請求項１に記載の光通信装置。
【請求項１３】
使用者の視線方向を被写体方向として撮像する撮像手段を備え、
上記制御手段は、他の光通信装置に対する通信要求情報及び自己の識別情報を、上記撮像手段での撮像画像の解析結果に応じて上記光送信手段から光送信させる制御を行うことを特徴とする請求項１に記載の光通信装置。
【請求項１４】
自己の識別情報を複数有する場合、
上記制御手段は、複数の識別情報の全部又は選択された一部について、通信要求情報及び識別情報を、上記光送信手段から光送信させる制御を行うことを特徴とする請求項１に記載の光通信装置。
【請求項１５】
上記光受信手段は、使用者の視線方向を被写体方向として撮像する撮像手段により構成されることを特徴とする請求項１に記載の光通信装置。
【請求項１６】
上記光送信手段は、可視光以外の光の発光を行うとともに、
上記光受信手段は、上記可視光以外の光を検出可能とされていることを特徴とする請求項１に記載の光通信装置。
【請求項１７】
上記可視光以外の光とは赤外光であることを特徴とする請求項１６に記載の光通信装置。
【請求項１８】
少なくとも上記識別情報を管理する通信管理テーブルを記憶する記憶手段をさらに備え、
上記制御手段は、他の光通信装置から光送信されてきた通信要求情報及び識別情報を上記光受信手段で受信した際、上記通信管理テーブルを参照して、上記他の光通信装置が情報通信対象であるか否かの判別を行うことを特徴とする請求項１に記載の光通信装置。
【請求項１９】
上記通信管理テーブルは、上記識別情報と上記通信応答情報を対応づけて管理するようにされており、
上記制御手段は、上記他の光通信装置が情報通信対象であると判別した場合は、上記通信管理テーブルにおいて上記識別情報に対応づけられている通信応答情報を上記光送信手段から光送信させることを特徴とする請求項１８に記載の光通信装置。
【請求項２０】
上記通信管理テーブルは、上記識別情報と提供情報を対応づけて管理するようにされており、
上記制御手段は、上記他の光通信装置が情報通信対象であると判別した場合は、上記通信管理テーブルにおいて上記識別情報に対応づけられている提供情報を上記光送信手段から光送信させることを特徴とする請求項１８に記載の光通信装置。
【請求項２１】
上記識別情報はグループの情報であり、
上記制御手段は、他の光通信装置から光送信されてきた識別情報により、上記他の光通信装置が、自己と同一のグループに属していることを認識した場合に、上記他の光通信装置が情報通信対象であると判別することを特徴とする請求項１に記載の光通信装置。
【請求項２２】
上記提供情報は、名称情報、又は属性情報、又は広告情報、又は案内情報であることを特徴とする請求項２又は請求項３に記載の光通信装置。
【請求項２３】
上記制御手段は、上記光送信手段から送信させる情報を、暗号化処理した情報とすることを特徴とする請求項１に記載に光通信装置。
【請求項２４】
上記識別情報と暗号鍵を対応させて管理する通信管理テーブルを記憶する記憶手段をさらに備え、
上記制御手段は、上記通信管理テーブルで識別情報に対応づけられている暗号鍵を用いて暗号化処理を行うことを特徴とする請求項２３に記載の光通信装置。
【請求項２５】
上記制御手段は、上記光受信手段で上記識別情報を受信した際に、上記識別情報を通信履歴情報として保存する処理を行うことを特徴とする請求項１に記載の光通信装置。
【請求項２６】
上記制御手段は、上記通信履歴情報の集計処理を行い、上記識別情報毎の集計データを生成することを特徴とする請求項２５に記載の光通信装置。
【請求項２７】
外部機器とデータ通信を行う通信手段をさらに備え、
上記制御手段は、上記通信手段に、上記通信履歴情報を外部の集計サーバに送信させることを特徴とする請求項２５に記載の光通信装置。
【請求項２８】
人以外の被装着体に取り付けられる光通信装置であって、
正面方向から到達した光を受光するように設けられた受光部により情報を受信する光受信手段と、
正面方向に向かって光出力するように設けられた発光部から情報を送信する光送信手段と、
提供情報を記憶する記憶手段と、
正面方向に対峙した他の光通信装置から光送信されてきた通信要求情報及び識別情報を上記光受信手段で受信した際、上記識別情報を用いて上記他の光通信装置が情報通信対象であるか否かの判別を行い、上記他の光通信装置が情報通信対象であると判別した場合には、上記記憶手段に記憶された提供情報を上記光送信手段から光送信させる制御手段と、
を備えたことを特徴とする光通信装置。
【請求項２９】
上記制御手段は、上記光受信手段で上記識別情報を受信した際に、上記識別情報を通信履歴情報として保存する処理を行うことを特徴とする請求項２８に記載の光通信装置。
【請求項３０】
上記制御手段は、上記通信履歴情報の集計処理を行い、上記識別情報毎の集計データを生成することを特徴とする請求項２９に記載の光通信装置。
【請求項３１】
外部機器とデータ通信を行う通信手段をさらに備え、
上記制御手段は、上記通信手段に、上記通信履歴情報を外部の集計サーバに送信させることを特徴とする請求項２９に記載の光通信装置。
【請求項３２】
使用者の視線方向から到達した光を受光するように設けられた受光部により、他の光通信装置から光送信されてきた通信要求情報及び識別情報を受信するステップと、
受信した上記識別情報を用いて上記他の光通信装置が情報通信対象であるか否かを判別するステップと、
上記他の光通信装置が情報通信対象であると判別した場合に、通信応答情報を、使用者の視線方向に向かって光出力するように設けられた発光部から光送信するステップと、
を備えたことを特徴とする光通信方法。
【請求項３３】
正面方向から到達した光を受光するように設けられた受光部により、他の光通信装置から光送信されてきた通信要求情報及び識別情報を受信するステップと、
受信した上記識別情報を用いて上記他の光通信装置が情報通信対象であるか否かを判別するステップと、
上記他の光通信装置が情報通信対象であると判別した場合に、記憶してある提供情報を、正面方向に向かって光出力するように設けられた発光部から光送信するステップと、
を備えたことを特徴とする光通信方法。
【発明の詳細な説明】
【技術分野】
【０００１】
本発明は、光通信装置及び光通信方法に関し、特に光通信装置と光通信装置の間での相互通信により情報の授受を行うようにする技術に関する。
【背景技術】
【０００２】
【特許文献１】特開２００４−５６３４３号公報
【特許文献２】特開平４−２６２８９号公報
【０００３】
上記特許文献１には例えばＬＥＤ（Light Emitting Diode）等の発光素子を用い、点滅発光パターンにより情報を通信する技術が開示されている。
上記特許文献２には眼鏡型映像表示装置に関する技術が開示されている。
【発明の開示】
【発明が解決しようとする課題】
【０００４】
光通信は多様な分野に用いられているが、人と人が向かい合った（視線を合わせた）状態でのコミュニケーションにおいて有効な情報通信や、ある人がある物体に向かい合った（視線を合わせた）状態での情報取得を行うための技術は提案されていない。
そこで本発明は、或るユーザが他の人、又は物体に注目した際に有用な光通信を行う光通信装置及び方法の実現を目的とする。
【課題を解決するための手段】
【０００５】
本発明の光通信装置は、使用者の視線方向に向かって光出力するように設けられた発光部から情報を送信する光送信手段と、使用者の視線方向から到達した光を受光するように設けられた受光部により情報を受信する光受信手段と、制御手段とを備える。制御手段は、他の光通信装置から光送信されてきた通信要求情報及び識別情報を上記光受信手段で受信した際、上記識別情報を用いて上記他の光通信装置が情報通信対象であるか否かの判別を行い、上記他の光通信装置が情報通信対象であると判別した場合には、通信応答情報を上記光送信手段から光送信させる。
また提供情報を記憶する記憶手段をさらに備え、上記制御手段は、上記他の光通信装置が情報通信対象であると判別した場合、上記通信応答情報に加えて上記記憶手段に記憶された提供情報を上記光送信手段から光送信させる。
また、他の光通信装置から光送信されてきた上記通信応答情報を上記光受信手段で受信した場合、上記制御手段は、上記記憶手段に記憶された提供情報を上記光送信手段から光送信させる。
【０００６】
また表示手段をさらに備え、上記制御手段は、他の光通信装置から送信されてきた情報に基づく表示を上記表示手段に実行させる。
例えば上記制御手段は、上記通信要求情報及び識別情報を送信してきた他の光通信装置が情報通信対象であると判別した場合、上記識別情報に基づく表示を上記表示手段に実行させる。
また他の光通信装置から光送信されてきた上記通信応答情報を上記光受信手段で受信した場合、上記制御手段は、上記識別情報に基づく表示を上記表示手段に実行させる。
また他の光通信装置から光送信されてきた提供情報を上記光受信手段で受信した場合、上記制御手段は、上記提供情報に基づく表示を上記表示手段に実行させる。
また上記表示手段は、使用者の目の前方に位置するように配置されて画像表示を行う構造とされる。
また上記表示手段は、画像表示を行う画面領域の全部又は一部を透明もしくは半透明であるスルー状態とすることができる構成とする。
また上記制御手段は、他の光通信装置から送信されてきた情報に基づく表示を、上記表示手段における表示画面上に表れている上記他の光通信装置の近傍において実行させる。
また上記制御手段は、上記表示手段における表示画面に、他の光通信装置から送信されてきた情報に基づく表示を実行させる際に、上記表示画面で表示されている画像内容に応じて、他の光通信装置から送信されてきた情報の表示輝度、又は表示色、又は光透過率を可変制御する。
【０００７】
また上記制御手段は、他の光通信装置に対する通信要求情報及び自己の識別情報を、継続的に上記光送信手段から光送信させる制御を行う。
また、使用者の視線方向を被写体方向として撮像する撮像手段を備え、上記制御手段は、他の光通信装置に対する通信要求情報及び自己の識別情報を、上記撮像手段での撮像画像の解析結果に応じて上記光送信手段から光送信させる制御を行う。
また自己の識別情報を複数有する場合、上記制御手段は、複数の識別情報の全部又は選択された一部について、通信要求情報及び識別情報を、上記光送信手段から光送信させる制御を行う。
また上記光受信手段は、使用者の視線方向を被写体方向として撮像する撮像手段により構成される。
また上記光送信手段は、可視光以外の光の発光（例えば赤外光の発光）を行うとともに、上記光受信手段は、上記可視光以外の光（例えば赤外光）を検出可能とされている。
【０００８】
また、少なくとも上記識別情報を管理する通信管理テーブルを記憶する記憶手段をさらに備え、上記制御手段は、他の光通信装置から光送信されてきた通信要求情報及び識別情報を上記光受信手段で受信した際、上記通信管理テーブルを参照して、上記他の光通信装置が情報通信対象であるか否かの判別を行う。
また上記通信管理テーブルは、上記識別情報と上記通信応答情報を対応づけて管理するようにされており、上記制御手段は、上記他の光通信装置が情報通信対象であると判別した場合は、上記通信管理テーブルにおいて上記識別情報に対応づけられている通信応答情報を上記光送信手段から光送信させる。
また上記通信管理テーブルは、上記識別情報と提供情報を対応づけて管理するようにされており、上記制御手段は、上記他の光通信装置が情報通信対象であると判別した場合は、上記通信管理テーブルにおいて上記識別情報に対応づけられている提供情報を上記光送信手段から光送信させる。
【０００９】
また上記識別情報はグループの情報であり、上記制御手段は、他の光通信装置から光送信されてきた識別情報により、上記他の光通信装置が、自己と同一のグループに属していることを認識した場合に、上記他の光通信装置が情報通信対象であると判別する。
また上記提供情報は、名称情報、又は属性情報、又は広告情報、又は案内情報である。
また上記制御手段は、上記光送信手段から送信させる情報を、暗号化処理した情報とする。例えば上記識別情報と暗号鍵を対応させて管理する通信管理テーブルを記憶する記憶手段をさらに備え、上記制御手段は、上記通信管理テーブルで識別情報に対応づけられている暗号鍵を用いて暗号化処理を行う。
【００１０】
また本発明の光通信装置として、人以外の被装着体に取り付けられる光通信装置は、正面方向から到達した光を受光するように設けられた受光部により情報を受信する光受信手段と、正面方向に向かって光出力するように設けられた発光部から情報を送信する光送信手段と、提供情報を記憶する記憶手段と、正面方向に対峙した他の光通信装置から光送信されてきた通信要求情報及び識別情報を上記光受信手段で受信した際、上記識別情報を用いて上記他の光通信装置が情報通信対象であるか否かの判別を行い、上記他の光通信装置が情報通信対象であると判別した場合には、上記記憶手段に記憶された提供情報を上記光送信手段から光送信させる制御手段とを備える。
【００１１】
また、上記のように人が使用者となる本発明の光通信装置、或いは人以外の被装着体に取り付けられる光通信装置において、上記制御手段は、上記光受信手段で上記識別情報を受信した際に、上記識別情報を通信履歴情報として保存する処理を行う。
また上記制御手段は、上記通信履歴情報の集計処理を行い、上記識別情報毎の集計データを生成する。
また外部機器とデータ通信を行う通信手段をさらに備え、上記制御手段は、上記通信手段に、上記通信履歴情報を外部の集計サーバに送信させる。
【００１２】
本発明の光通信方法は、使用者の視線方向から到達した光を受光するように設けられた受光部により、他の光通信装置から光送信されてきた通信要求情報及び識別情報を受信するステップと、受信した上記識別情報を用いて上記他の光通信装置が情報通信対象であるか否かを判別するステップと、上記他の光通信装置が情報通信対象であると判別した場合に、通信応答情報を、使用者の視線方向に向かって光出力するように設けられた発光部から光送信するステップとを備える。
【００１３】
また本発明の光通信方法は、正面方向から到達した光を受光するように設けられた受光部により、他の光通信装置から光送信されてきた通信要求情報及び識別情報を受信するステップと、受信した上記識別情報を用いて上記他の光通信装置が情報通信対象であるか否かを判別するステップと、上記他の光通信装置が情報通信対象であると判別した場合に、記憶してある提供情報を、正面方向に向かって光出力するように設けられた発光部から光送信するステップとを備える。
【００１４】
以上の本発明では、光通信装置を装着した使用者（ユーザ）が、他の光通信装置を装着したユーザと視線が合わせたときに、その相互の光通信装置の間で光通信が行われる。或いは光通信装置を装着した使用者（ユーザ）が、他の光通信装置が取り付けられた人以外の被装着体に注目したときに、その相互の光通信装置の間で光通信が行われる。
光送信手段の発光部はユーザの視線方向に向かって光出力するようにされ、光受信手段の受光部は使用者の視線方向から到達した光を受光するようにされていることで、光の直進性により、相互の光通信装置は相対した状態において、相互の光通信装置の間で光通信により情報伝送が行われることになる。
そして相互の光通信装置が相対した状態においては、受信した識別情報により相手側の光通信装置が情報通信対象であるか否かを判別し、例えば同一のグループのユーザの機器であるなどの条件で情報通信対象であると認識した場合にのみ情報伝送（例えば相手側の機器に提供する提供情報の送信）が行われるようにする。
【発明の効果】
【００１５】
本発明によれば、互いに光通信装置を装着したユーザ同志が視線が合わせたときに、その相互の光通信装置の間で光通信が行われる。或いは光通信装置を装着したユーザが、他の光通信装置が取り付けられた被装着体に注目したときに、その相互の光通信装置の間で光通信が行われる。これによってユーザ同士が向かい合う際に互いに情報提供を行うことができる。或いは人以外の被装着体に取り付けられた光通信装置から、光通信装置を装着したユーザに対して情報提供を行うことができ、応用範囲の広い新たな情報伝送を実現できる。
また、相互の光通信装置が相対した状態において、識別情報により相手側の光通信装置が情報通信対象であるか否かを判別し、例えば同一のグループのユーザの機器であるなどの条件で情報通信対象であると認識した場合にのみ情報伝送（例えば相手側の機器への提供情報の送信）が行われるようにすることで、単に相対しただけでむやみに情報伝送が行われることはなく、適切な相手にのみ情報を提供できることになる。
また、人が、他人や被装着体を実際に見た状態で光通信が行われるものであるため、光通信を行った場合に識別情報を通信履歴情報（ログ）として保存しておき、識別情報毎の集計を行うことで、例えば商品や看板等が実際に見られた回数などの有益な情報を生成できる。
【発明を実施するための最良の形態】
【００１６】
以下、本発明の光通信装置、光通信方法の実施の形態を説明する。実施の形態においては、ユーザが装着する光通信表示装置１及び光通信装置３０や、人以外の被装着体に取り付けられる光通信装置５０が、本発明請求項でいう光通信装置に該当する。また光通信表示装置１、光通信装置３０、光通信装置５０の処理として本発明の光通信方法が実行される。また実施の形態における光通信表示装置１、光通信装置３０、光通信装置５０が本発明請求項でいう他の光通信装置となる場合もある。
説明は次の順序で行う。
［１．光通信表示装置、光通信装置、表示装置の外観例］
［２．光通信表示装置、光通信装置、表示装置の構成例］
［３．通信管理テーブル及び通信動作］
［４．光通信表示装置の処理例］
［５．被装着体に取り付けられた光通信装置の処理例］
［６．実施の形態の効果、及び変形例、拡張例］
［７．実施の形態の更なる拡張例（通信ログに基づく集計）］
【００１７】
［１．光通信表示装置、光通信装置、表示装置の外観例］
図１に実施の形態の光通信表示装置１の外観例を示す。この光通信表示装置１は眼鏡型ディスプレイカメラとしてユーザが装着できるものとしている。
光通信表示装置１は、例えば両側頭部から後頭部にかけて半周回するようなフレームの構造の装着ユニットを持ち、図のように両耳殻にかけられることでユーザに装着される。
そしてこの光通信表示装置１は、図１のような装着状態において、ユーザの両眼の直前、即ち通常の眼鏡におけるレンズが位置する場所に、左眼用と右眼用の一対の表示パネル部２ａ、２ａが配置される構成とされている。この表示パネル部２ａ、２ａには、例えば液晶パネルが用いられ、透過率を制御することで、図のようなスルー状態、即ち透明又は半透明の状態とできる。表示パネル部２ａ，２ａがスルー状態とされることで、眼鏡のようにユーザが常時装着していても、通常の生活には支障がない。
【００１８】
またユーザが装着した状態において、ユーザの視線方向を被写体方向として撮像するように、前方に向けて撮像レンズ３ａが配置されている。
本例では、この撮像レンズ３ａを含む、図５等で後述する撮像部３は、ユーザの視線方向の光景の撮像を行うとともに、他の光通信表示装置１又は光通信装置３０，５０から光送信されてきた情報を受信する光受信手段として機能する。
【００１９】
またユーザが装着した状態において、ユーザの視線方向に向かって発光を行う発光部４ａが、例えばＬＥＤ（Light Emitting Diode）等により設けられる。
本例では、この発光部４ａを含む、図５等で後述する光送信部３は、ユーザの視線方向に位置して相対する他の光通信表示装置１又は光通信装置３０，５０に情報を光送信する光送信手段として機能する。
【００２０】
なお図１は一例であり、光通信表示装置１をユーザが装着するための構造は多様に考えられる。一般に眼鏡型、或いは頭部装着型とされる装着ユニットで形成されればよく、その状態で例えばユーザの眼の前方に近接して表示パネル部２ａ、２ａが設けられ、また撮像レンズ３ａによる撮像方向と、発光部４の光出力方向がユーザの視界方向、つまりユーザの前方となるようにされていればよい。
光通信表示装置１として眼鏡型或いは頭部装着型の装着ユニットを有する例を示しているが、例えばヘッドホン型、ネックバンドタイプ、耳掛け式など、どのような装着ユニットでユーザに装着されるものであってもよい。さらには、例えば通常の眼鏡やバイザー、或いはヘッドホン等に、クリップなどの取付具で取り付けることでユーザに装着させる形態であってもよい。
また表示パネル部２ａとして両眼に対応して表示部が一対設けられる構成の他、片側の眼に対応して１つ表示パネル部２ａが設けられる構成でもよい。
また、装着状態でユーザの右耳孔及び左耳孔の一方又は両方に挿入されるイヤホンスピーカを設ける構成や、外部音声を集音するマイクロホンを設ける構成も考えられる。
【００２１】
ところで図１の光通信表示装置１は、光通信のための構成部分と画像をモニタできる表示パネル部２ａ，２ａが一体に形成されてユーザに装着される機器とした例であるが、ユーザが装着する機器としては、図２（ａ）（ｂ）に示すような光通信装置３０や表示装置４０も考えられる。
【００２２】
図２（ａ）の光通信装置３０は、所定の装着フレームによりユーザの側頭部に装着される。そして装着状態においてユーザの視界方向を被写体方向として撮像するように、前方に向けて撮像レンズ３ａ及び発光部４ａが配置されている。
即ちこの光通信装置３０は、表示機能は持たないが、ユーザに装着された状態でユーザの視線方向を被写体方向として撮像し、かつ視線方向からの光送信情報を受信できるように前方に向けて撮像レンズ３ａが配置されている。
またユーザが装着した状態において、ユーザの視線方向に向かって発光を行い情報を送信する発光部４ａが設けられている。
このような光通信装置３０についても、上記光通信表示装置１と同じく、形状、装着構造、構成要素などは多様に考えられる。
【００２３】
図２（ｂ）の表示装置４０は、腕時計型の表示装置とした例であり、リストバンドによってユーザの手首に装着された状態で、ユーザが視認できる表示パネル部２ａが形成されたものである。
【００２４】
なお、ここでは腕時計型の表示装置４０を示しているが、ユーザが装着又は所持する表示装置４０として多様な形状や装着構造が想定される。表示装置４０としては例えば携帯用の小型機器としてユーザが所持できるものであってもよい。
さらにユーザが携帯できる表示装置４０を考えた場合、モニタリング表示のみの専用装置だけでなく、携帯電話機、携帯ゲーム機、ＰＤＡ（Personal Digital Assistant）などの表示機能を有する機器も、本例の表示装置４０となり得る。
【００２５】
また図２（ａ）（ｂ）の光通信装置３０、表示装置４０は、それぞれを個別に使用しても良いが、ユーザが、この光通信装置３０、表示装置４０の両方を装着し、２つの機器で、光通信表示装置として使用する形態も想定される。例えば光通信装置３０と表示装置４０がデータ通信を行って、表示装置４０で光通信装置３０で撮像した画像のモニタリングや受信した情報の表示を行うようにする場合である。
【００２６】
ところで図１，図２の光通信表示装置１、光通信装置３０、表示装置４０はユーザ（人）が使用することを想定したものであるが、人以外の被装着体に取り付けられる光通信装置５０も考えられる。
人以外の被装着体（以下、単に「被装着体」という）としては、例えばポスター、看板、各種施設等の案内板、建物の壁面、ドア、窓、樹木などの固定的なものや、自動車、鉄道車両などの移動体、店舗での販売対象の商品、更には犬、猫等の生物など、非常に多様に考えられる。
図３では、被装着体としてポスターに光通信装置５０が取り付けられている例を示している。
この光通信装置５０は、正面方向に向かって、受光部８ａと発光部４ａが設けられている。即ち、例えば図１の光通信表示装置１や図２の光通信装置３０を装着したユーザが被装着体の正面において被装着体に視線を向けたときに、その光通信表示装置１（光通信装置３０）から光送信されてくる情報を受光部８ａで受光し、また発光部４ａから光送信する情報を光通信表示装置１（光通信装置３０）が受光できるようにされたものである。
【００２７】
これら図１，図２，図３の光通信表示装置１、光通信装置３０、光通信装置５０は、互いに相対することによって光通信を行う。
図４（ａ）（ｂ）（ｃ）に通信形態の例を示す。
図４（ａ）は、ユーザＡ，ユーザＢが、それぞれ図１の光通信表示装置１を装着している場合である。
ユーザＡがユーザＢに視線を向け、またユーザＢがユーザＡに視線を向けたとき、つまり目が合った状況となると、ユーザＡの光通信表示装置１の発光部４ａで発光された光を、ユーザＢの光通信表示装置１の撮像レンズ３ａで撮像（受光）できる。またユーザＢの光通信表示装置１の発光部４ａで発光された光を、ユーザＡの光通信表示装置１の撮像レンズ３ａで撮像（受光）できる。この状態で、光通信表示装置１同志の光通信が実行される。
【００２８】
図４（ｂ）は、ユーザＣが図２の光通信装置３０と表示装置４０を装着している場合に、図１の光通信表示装置１を装着しているユーザＢと光通信を行う状態を示している。
この場合も、ユーザＢとユーザＣとが目が合うことで、ユーザＢの光通信表示装置１の発光部４ａで発光された光を、ユーザＣの光通信装置３０の撮像レンズ３ａで撮像（受光）でき、またユーザＣの光通信装置１の発光部４ａで発光された光を、ユーザＢの光通信表示装置１の撮像レンズ３ａで撮像（受光）できることで光通信が実行できる。
またここでは図示していないが、図２の光通信装置３０同志でも、同様に装着ユーザ同士の目が合うことで、光通信が行われる。
【００２９】
図４（ｃ）は図１の光通信表示装置１を装着しているユーザＢが、図３のように光通信装置５０を取り付けた被装着体に注目することで、光通信表示装置１と光通信装置５０との間で光通信が行われる状態を示している。
【００３０】
例えば図４（ａ）（ｂ）（ｃ）のような光通信は、送信側が上記した発光部４ａの点滅発光パターンによるデータ送信を行う。即ち送信するデータによる変調パターンとして発光部４ａが点滅発光される。受信側では、撮像レンズ３ａを含む後述する撮像部３で発光パターンを認識し、受信されたデータを復調する。
このような光通信には、可視光が用いられても良いが、可視光領域以外の波長の光、例えば赤外光が用いられても良い。
【００３１】
［２．光通信表示装置、光通信装置、表示装置の構成例］
光通信表示装置１、光通信装置３０、表示装置４０、光通信装置５０の各構成例を図５〜図７で説明する。
まず図５に、図１のような光通信表示装置１の構成例を示す。
【００３２】
システムコントローラ１０は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、光通信表示装置１の全体を制御する制御部とされる。このシステムコントローラ１０は内部のＲＯＭ等に保持したプログラムに基づいて、各種演算処理やバス１３を介した各部と制御信号等のやりとりを行い、各部に所要の動作を実行させる。
【００３３】
光通信表示装置１内では、ユーザの視線方向の光景の撮像、及びユーザの視線方向に位置した他の光通信装置からの光送信されてくるデータの受信のための構成として、撮像部３が設けられる。
なお、他の光通信表示とは、光通信表示装置１、又は光通信装置３０、又は光通信装置５０のいずれかであり、以下、「他の光通信装置」と表記した場合、光通信相手となり得る他の光通信表示装置１、他の光通信装置３０、他の光通信装置５０のいずれかを示すものとする。
【００３４】
撮像部３は、撮像光学系、撮像素子部、撮像信号処理部を有する。
撮像部３における撮像光学系では、図１に示した撮像レンズ３ａや、絞り、ズームレンズ、フォーカスレンズなどを備えて構成されるレンズ系や、レンズ系に対してフォーカス動作やズーム動作を行わせるための駆動系等が備えられる。
また撮像部３における撮像素子部では、撮像光学系で得られる撮像光を検出し、光電変換を行うことで撮像信号を生成する固体撮像素子アレイが設けられる。固体撮像素子アレイは、例えばＣＣＤ（Charge Coupled Device）センサアレイや、ＣＭＯＳ（Complementary Metal Oxide Semiconductor）センサアレイとされる。
また撮像部３における撮像信号処理部では、固体撮像素子によって得られる信号に対するゲイン調整や波形整形を行うサンプルホールド／ＡＧＣ(Automatic Gain Control)回路や、ビデオＡ／Ｄコンバータを備え、デジタルデータとしての撮像画像データを得る。また撮像画像データに対してホワイトバランス処理、輝度処理、色信号処理、ぶれ補正処理などを行う。
【００３５】
これらの撮像光学系、撮像素子部、撮像信号処理部を有する撮像部３により、撮像が行われ、撮像による画像データが得られる。
また、この撮像部３により他の光通信装置から光送信されてきたデータが受光されるが、光通信に例えば赤外光が用いられる場合は、上記撮像素子部及び撮像信号処理部は赤外線領域まで処理可能な構成とされる。
【００３６】
この撮像部３の撮像動作によって得られた画像データは、撮像制御部６で処理される。
撮像制御部６は、システムコントローラ１０の制御に従って、撮像画像データを所定の画像データフォーマットに変換する処理や、表示部２でモニタ表示させるための所要の信号処理を行う。表示部２でモニタ表示させるための信号処理とは、例えば輝度レベル調整、色補正、コントラスト調整、シャープネス（輪郭強調）調整、画面分割処理、キャラクタ画像の合成処理、拡大又は縮小画像の生成、モザイク画像／輝度反転画像／ソフトフォーカス／画像内の一部の強調表示／画像全体の色の雰囲気の可変などの画像エフェクト処理などである。
また撮像制御部６はシステムコントローラ１０の指示に基づいて、撮像部３における撮像動作のオン／オフ制御、撮像光学系のズームレンズ、フォーカスレンズの駆動制御、撮像素子部の感度やフレームレート制御、撮像信号処理部の各処理のパラメータや実行処理の設定などを行う。
また撮像制御部６はシステムコントローラ１０の指示に基づいて、撮像画像データを記録のためにメモリ部１２に供給したり、表示部２での表示のために表示制御部７に供給する。撮像画像データをメモリ部１２に供給する場合、撮像制御部６は、画像データを記録のためのエンコード処理を行う。
【００３７】
また撮像制御部６は、撮像画像データを解析して他の光通信装置で送信出力された発光パターンの検出を行う。他の光通信装置からの光送信としての発光パターンが検出された場合は、その発光パターンを解析し、受信データとして復調する。
撮像制御部６は受信データをシステムコントローラ１０に供給したり、メモリ部１２に供給して保存させる。
【００３８】
光通信表示装置１においてユーザに対して表示を行う構成としては、表示部２、表示制御部７が設けられる。
この表示部２は、上述した液晶パネル等による表示パネル部２ａと、表示パネル部２ａを表示駆動する表示駆動部が設けられる。
表示駆動部は、撮像制御部６から供給される画像信号や光通信によって取り込まれたデータを、例えば液晶ディスプレイとされる表示パネル部２ａにおいて表示させるための画素駆動回路で構成されている。画素駆動回路は表示パネル部２ａにおいてマトリクス状に配置されている各画素について、それぞれ所定の水平／垂直駆動タイミングで映像信号に基づく駆動信号を印加し、表示を実行させる。
【００３９】
表示制御部７は、システムコントローラ１０の制御に基づいて、表示部２における画素駆動回路を駆動し、表示パネル部２ａに所定の表示を実行させる。
即ち、撮像部３での撮像モニタとしての表示や、メモリ部１２に取り込まれた撮像画像データの再生表示、さらには光通信で受信したデータの表示などを、表示パネル部２ａにおいて実行させる。
また表示制御部７は、システムコントローラ１０の指示に基づいて表示駆動部を制御し、表示パネル部２ａの各画素の透過率を制御して、スルー状態（透明又は半透明の状態）とすることもできる。
また表示制御部７は、システムコントローラ１０の指示に基づいて、表示部２における表示動作のオン／オフ（スルー）制御、表示する画像データに対する処理パラメータの指示、画面領域設定制御、キャラクタ発生などを行う。
【００４０】
メモリ部１２は、各種データの保存に用いられる。例えば撮像画像データや光通信における受信データの保存、さらには後述する通信管理テーブルの保存に用いられる。
このメモリ部１２は、ＲＡＭ或いはフラッシュメモリなどの固体メモリにより構成されても良いし、例えばＨＤＤ（Hard Disk Drive）により構成されてもよい。もちろん固体メモリを内蔵したメモリカード、光ディスク、光磁気ディスク、ホログラムメモリなどの記録媒体に対応する記録再生ドライブなどとされても良い。さらには、メモリ部１２を独立して設けず、システムコントローラ１０内のＲＡＭや不揮発性メモリを、このメモリ部１２として用いても良い。
このメモリ部１２は、システムコントローラ１０の制御に基づいて、撮像によって得られる画像データや、光通信による受信データを記録する。またシステムコントローラ１０の制御に基づいて、記録したデータを読み出し、システムコントローラ１０や表示制御部７などに供給する。
【００４１】
また光通信表示装置１には光送信部４と発光制御部５が設けられる。光送信部４は、図１、図２に示した発光部４ａとその発光部４ａ（例えばＬＥＤ）を発光させる発光回路から成る。発光制御部５は、システムコントローラ１０の指示に基づいて、光送信部４に発光動作を実行させる。即ち発光制御部５は、システムコントローラ１０から他の光通信装置に対して送信するデータが供給されると、これを変調し、変調に応じた点滅発光パターンにより光送信部４の発光部４ａを発光させる。
例えばシステムコントローラ１０は、光送信部４から、後述する通信管理テーブルに記憶された通信要求情報や識別情報の送信を常時実行させる。また他の光通信装置との間で通信が行われる場合は、通信管理テーブルに示される通信応答情報や提供データの送信を光送信部４から実行させる。
光送信部４における発光部４ａ（例えばＬＥＤ）は、可視光の発光を行うものでもよいし、光通信が赤外光などの非可視光で行われるものとした場合、発光部４ａは例えば赤外線発光を行うＬＥＤなどが用いられる。
【００４２】
この光通信表示装置１では、ユーザの操作のために操作入力部１１が設けられる。
操作入力部１１は、例えばキー、ダイヤル等の操作子を有するようにし、キー操作等としてのユーザの操作を検知する構成としてもよいし、或いはユーザの意識的な挙動を検知する構成としても良い。
操作子を設ける場合、例えば、電源オン／オフ操作、撮像系の操作（例えばズーム等の操作や、信号処理の指示操作）、表示関連操作（例えば表示内容の選択や表示調整操作）などに用いる操作子が形成されればよい。
【００４３】
またユーザの挙動を検知する構成とする場合は、加速度センサ、角速度センサ、振動センサ、圧力センサ等を設けることが考えられる。
例えばユーザが光通信表示装置１を側面側からコツコツと軽く叩くといったことを、加速度センサ、振動センサ等で検知し、例えば横方向の加速度が一定値を越えたときにシステムコントローラ１０がユーザの操作として認識するようにすることができる。また、加速度センサや角速度センサによりユーザが右側から側部（眼鏡のツルに相当する部分）を叩いたか、左側から側部を叩いたかを検出できるようにすれば、それらを、それぞれ所定の操作として判別することもできる。
またユーザが頭を回す、首を振るなどとすることを加速度センサや角速度センサで検知し、これをシステムコントローラ１０がユーザの操作として認識することができる。
また、光通信表示装置１の左右の側部（眼鏡のツルに相当する部分）等に圧力センサを配置し、右側部をユーザが指で押したときは望遠方向のズーム操作、左側部をユーザが指で押したときは広角方向のズーム操作などとすることもできる。
【００４４】
さらには、生体センサとしての構成を備えるようにし、ユーザの生体情報を検出して、操作入力と認識するようにしても良い。生体情報とは、脈拍数、心拍数、心電図情報、筋電、呼吸情報（例えば呼吸の速さ、深さ、換気量など）、発汗、ＧＳＲ（皮膚電気反応）、血圧、血中酸素飽和濃度、皮膚表面温度、脳波（例えばα波、β波、θ波、δ波の情報）、血流変化、眼の状態などである。
そしてシステムコントローラ１０は生体センサの検出情報を、ユーザの操作入力として認識するようにしてもよい。例えばユーザの意識的な挙動として目の動き（視線方向の変化やまばたき）が考えられるが、ユーザが３回まばたきをしたことを検知したら、それを特定の操作入力と判断するなどである。さらには、上記生体情報の検知によりユーザが光通信表示装置１を装着したことや外したこと、あるいは特定のユーザが装着したことなども検出可能であり、システムコントローラ１０がその検出に応じて電源オン／オフなどを行うようにしてもよい。
【００４５】
操作入力部２０は、このように操作子、加速度センサ、角速度センサ、振動センサ、圧力センサ、生体センサ等として得られる情報をシステムコントローラ１０に供給し、システムコントローラ１０はこれらの情報によりユーザの操作を検知する。
【００４６】
次に図２のような光通信装置３０，表示装置４０の構成例を説明する。
本例では、例えば図４（ｂ）のユーザＣの所持する機器として述べたように、図２（ａ）（ｂ）のような光通信装置３０と表示装置４０の両方を用いて光通信表示装置１と同等の機能を持つようにしても良い。
その場合、光通信装置３０と表示装置４０として図６のような構成例が考えられる。なお、図５と同一部分には同一符号を付して重複説明を避ける。
この図６の例では、光通信装置３０において、図５の光通信表示装置１とほぼ同様の構成を備えるようにする。但し光通信装置３０において表示部２、表示制御部７は設けられず、代わりに送信部１４が設けられる。
送信部１４は、撮像制御部６やメモリ部１２から表示用として供給される画像データや、光通信で受信したデータに応じた表示データ（或いは表示キャラクタの指示データ）、システムコントローラ１０からの制御信号などについて、送信用のエンコード処理を行い、エンコードしたデータを表示装置４０へ送信する。
【００４７】
また表示装置４０には、受信部４１、表示制御部４２、表示部２が設けられる。
受信部４１は、光通信装置３０の送信部２１との間でデータ通信を行う。そして光通信装置３０から送信されてくるデータ（表示用の画像データや制御データ）を受信し、デコード処理をおこなう。
受信部４１でデコードされたデータは、表示制御部４２に供給される。表示制御部４２は、表示のための信号処理や画面分割、キャラクタ合成等の処理を行って表示用の画像信号を生成し、例えば液晶ディスプレイとされる表示パネル部２ａを有する表示部２に供給する。
表示部２では、表示用の画像信号に応じて、マトリクス状に配置されている表示パネル部２ａの各画素について、それぞれ所定の水平／垂直駆動タイミングで映像信号に基づく駆動信号を印加し、表示を実行させる。
【００４８】
このように構成することで、例えば図４（ｂ）のユーザＣのように光通信装置３０と表示装置４０を装着したユーザが、これらを光通信表示装置１と同様に使用することができる。光通信装置３０と表示装置４０の通信としては、例えば無線ＬＡＮ、ブルートゥースなどの近距離無線通信を採用しても良い。
【００４９】
次に、図３に示したような人以外の被装着体に取り付けられる光通信装置５０の構成を図７に示す。
この光通信装置５０は、人が装着するものではないため、ユーザインターフェースに係る構成部分が省かれる。即ち図５の構成から表示部２，表示制御部７、操作入力部１１を省いた構成となる。
また、図５の撮像部３，撮像制御部６に代えて、光受信部８、データ復調部９が設けられる。光受信部８は、例えばフォトトランジスタや簡易な構成の撮像素子アレイなどによる受光部を有し、他の光通信装置からの送信光を受光する。受光信号はデータ復調部９において復調され、受信データとされる。受信データ９はシステムコントローラ１０に取り込まれ、またメモリ部１２に記憶される。
【００５０】
なお、上記図５の光通信表示装置１や図６の光通信装置３０のようにユーザが装着するタイプの装置では、光通信における受光手段として撮像部３を用い、ユーザの視界光景の撮像を行う機能を有するようにしているが、特に光通信を行うことのみを考え、ユーザの視界光景の撮像機能を設けない場合は、図７のように、撮像部３に変えてフォトトランジスタや簡易な構成の撮像素子などによる受光部を有する光受信部８と、その光受信部８による受信データを復調するデータ復調部９が設けられるようにしてもよい。
【００５１】
以上、光通信表示装置１、光通信装置３０、表示装置４０、光通信装置５０の構成を示したが、これらはそれぞれ一例にすぎない。実際に実施されるシステム動作例や機能に応じて各種の構成要素の追加や削除は当然考えられる。
【００５２】
［３．通信管理テーブル及び通信動作］
以下、本例の光通信表示装置１、光通信装置３０、５０において実行される光通信について説明する。
まず、光通信表示装置１、光通信装置３０、５０が例えばメモリ部１２に格納している通信管理テーブルについて説明する。
【００５３】
図８（ａ）（ｂ）は、ユーザが装着する光通信表示装置１や光通信装置３０が備える通信管理テーブルの例を示している。
通信管理テーブルは、識別情報としてのグループネーム、通信要求情報としてのスタートコード、通信応答情報としてのリターンコード、及び通信相手に提供する各種のデータとしての提供データを対応づけて記憶するテーブルである。提供データについては、提供データとしての実データが通信管理テーブル上に記憶されても良いし、提供データとしての他のファイルデータ等のリンク情報を通信管理テーブルに記憶するようにしてもよい。
【００５４】
この通信管理テーブルは、１又は複数のエントリを登録することができる。例えばユーザが任意に自分の所属するグループを選択して（或いは友人同士などでグループを作成して）登録する。また提供データは、ユーザが任意に作成／編集したデータとすればよい。
【００５５】
図８（ａ）は、例えば或るユーザＡが所持する光通信表示装置１に記憶されている通信管理テーブルとし、また図８（ｂ）は或るユーザＢが所持する光通信表示装置１に記憶されている通信管理テーブルとしている。
ユーザＡは、グループネームＧＰＮ１のグループに所属しているとし、ユーザＢはグループネームＧＰＮ１，ＧＰＮ２，ＧＰＮ３，ＰＧＮ４，ＧＰＮ１０の５つのグループに所属しているとする。つまりユーザＡは自分の光通信表示装置１に１つのグループを登録し、ユーザＢは自分の光通信表示装置１に５つのグループを登録した場合である。
【００５６】
この場合、ユーザＡが所持する光通信表示装置１に記憶されている通信管理テーブルには、エントリ＃１としてグループネームＧＰＮ１が登録され、またグループネームＧＰＮに対応づけられてスタートコードＳＴＣ１、リターンコードＲＴＣ１が登録される。さらにユーザＡが、同じグループの他人に対して提供する提供データＤＴａが対応づけられる。
【００５７】
またユーザＢが所持する光通信表示装置１に記憶されている通信管理テーブルには、エントリ＃１〜＃５としてグループネームＧＰＮ１，ＧＰＮ２，ＧＰＮ３，ＰＧＮ４，ＧＰＮ１０が登録される。そしてグループネームＧＰＮ１に対応づけられてスタートコードＳＴＣ１、リターンコードＲＴＣ１が登録され、さらにユーザＢが、同じグループの他人に対して提供する提供データＤＴｂが対応づけられる。
同様にグループネームＧＰＮ２，ＧＰＮ３，ＧＰＮ４，ＧＰＮ１０についても、スタートコード、リターンコードや提供データが対応づけられる。
但し、提供データを対応づけるか否かはユーザの任意選択であり、例えばこの場合エントリ＃３のグループネームＧＰＮ３に対しては提供データを設定していない。例えばグループネームＧＰＮ３に所属する他人に対して何も情報を提供したくない場合である。
また、ここではエントリ＃５としてのグループネームＧＰＮ１０は、或る情報サービスを享受するグループなどであり、被装着体に取り付けられる光通信装置５０との通信を行うためのグループである。この場合、提供データが設定されないことが考えられる。もちろん提供データを設定し、情報サービスを享受する際にユーザが情報を提供するようにしてもよい。
【００５８】
ここで図８（ａ）（ｂ）からわかるように、グループ毎に特定のスタートコードとリターンコードが設定されている。例えばグループネームＧＰＮ１のグループについては、スタートコードＳＴＣ１、リターンコードＲＴＣ１が決められる。
グループネームＧＰＮ２のグループについてはスタートコードＳＴＣ２、リターンコードＲＴＣ２が決められる。
【００５９】
上記図４（ａ）に示したようにユーザＡ、Ｂ間で光通信表示装置１で光通信が行われる場合、グループネームＧＰＮ１が共通であることで通信が行われる。又その通信の際、スタートコードＳＴＣ１、リターンコードＲＴＣ１が用いられることになる。
このユーザＡ、Ｂの光通信表示装置１同志の間の基本的な通信動作を図９に示す。
両光通信表示装置１は、例えば常時、光送信部４からスタートコードＳＴＣ１とグループネームＧＰＮ１を送信している。例えばユーザＡの光通信表示装置１は登録したエントリが１つであるため、例えば１秒間隔、数秒間隔などで、常時のスタートコードＳＴＣ１とグループネームＧＰＮ１を送信する。一方、ユーザＡの光通信表示装置１は登録したエントリが５つであるため、常時のこの各グループのスタートコードとグループネームを順番に送信している。
【００６０】
ある時点ｔ１で、ユーザＡとユーザＢの視線が合った状態（視線方向に顔が向き合った状態）になり、ユーザＡの光通信表示装置１が発したスタートコードＳＴＣ１及びグループネームＧＰＮ１を、ユーザＢの光通信表示装置１が受信したとする。ユーザＢの光通信表示装置１は、スタートコードＳＴＣ１としての通信要求を認識したら、グループネームＧＰＮ１が、自分の所属するグループであるか否かを確認する。即ち図８（ｂ）の通信管理テーブルを参照する。この場合、ユーザＢの光通信表示装置１もグループネームＧＰＮ１のグループに所属しているため、通信を実行することになる。
即ち同一グループへの所属を確認したら、ユーザＢの光通信表示装置１は時点ｔ２において、グループネームＧＰＮ１についての通信応答情報として図８（ｂ）の通信管理テーブルに登録されているリターンコードＲＴＣ１を送信し、また対応づけられている提供データＤＴｂを送信する。このリターンコードＲＴＣ１、提供データＤＴｂは、ユーザＡの光通信表示装置１側が受信することになる。
【００６１】
ユーザＡの光通信表示装置１は、リターンコードＲＴＣ１として、グループネームＧＰＮ１のグループに所属するユーザＢの光通信表示装置１からの返信を確認したら、時点ｔ３において、図８（ａ）の通信管理テーブルにグループネームＧＰＮ１に対応して登録されている提供データＤＴａを送信する。
またユーザＡの光通信表示装置１は、上記時点ｔ２でリターンコードＲＴＣ１、提供データＤＴｂを受信した後の時点ｔ４において、提供データＤＴｂ及びグループネームＧＰＮ１の一方又は両方に基づく表示を表示部２で実行する。
一方、ユーザＢの光通信表示装置１では時点ｔ３でユーザＡの光通信表示装置１からの提供データＤＴａを受信するが、その後の時点ｔ５において、提供データＤＴａ及びグループネームＧＰＮ１の一方又は両方に基づく表示を表示部２で実行する。
【００６２】
ユーザＡ、ユーザＢが向き合った状態になると、このような通信が自動的に実行され、例えば互いの表示部２において相手からの提供データによる表示が行われる。
図１０に表示例を示す。提供データＤａ、Ｄｂの内容が氏名であるとする。即ちユーザＡの氏名が「David .H」であって、光通信表示装置１における図８（ａ）の通信管理テーブルにグループネームＧＰＮ１に対応して登録された提供データＤＴａの内容が「David .H」であったとする。
またユーザＢの氏名が「Christina」であって、光通信表示装置１における図８（ｂ）の通信管理テーブルにグループネームＧＰＮ１に対応して登録された提供データＤＴｂの内容が「Christina」であったとする。
【００６３】
この場合、ユーザＡ、Ｂが向かい合うことにより図９の通信が行われ、最終的にユーザＡの光通信表示装置１には「Christina」という情報が提供され、ユーザＢの光通信表示装置１には「David .H」という情報が提供される。
これによって、ユーザＡの光通信表示装置１の表示パネル部２ａにおいては、図１０（ａ）のように、その時点で撮像部３で撮像している視界光景の画像がメイン表示１００として表示されているとともに、例えばデータ表示１０１として、提供データＤＴｂの内容である「Christina」がオーバレイ表示される。
また、ユーザＢの光通信表示装置１の表示パネル部２ａにおいては、図１０（ｂ）のように、その時点で撮像部３で撮像している視界光景の画像がメイン表示１００として表示されているとともに、例えばデータ表示１０１として、提供データＤＴａの内容である「David .H」がオーバレイ表示される。
【００６４】
つまりユーザ同士が向かい合った時点で、お互いの情報が提供されあい、その提供データに基づく表示が行われる。
なお、図１０（ａ）（ｂ）においてメイン表示１００は、ユーザの前方の光景であり、これは撮像部３で撮像した画像であってもよいが、表示パネル部２ａをスルー状態としたものであってもよい。つまり、表示パネル部２ａをスルー状態として、そのスルー状態の画面の一部に、データ表示１０１を実行してもよい。
【００６５】
また、図１１（ａ）は、データ表示１０１に加えて、グループ表示１０２としてグループネームＧＰＮ１に基づく「○○グループ」という表示を実行する例である。
さらに、図１１（ｂ）は、データ表示１０１を行わずに、グループ表示１０２としてグループネームＧＰＮ１に基づく「○○グループ」という表示を実行する例である。例えば相手側から提供データが送信されない場合などは、グループ表示１０２のみを実行することができる。
これらのように、提供データに基づくデータ表示１０１、グループネームに基づくグループ表示１０２、或いはその両方の表示を、ユーザの選択や提供データの受信有無などに応じて実行することで、同一グループに所属する（同一グループを登録した）ユーザ同士が、互いに相手の情報を確認できる。
【００６６】
登録するグループとは、友人同士のグループとして共通のグループとしても良いし、例えば各ユーザが自分の趣味・嗜好に応じてグループを選択するようにしてもよい。例えば自分の趣味・嗜好として、音楽や音楽ジャンル、スポーツ、スポーツ競技別、映画、小説、漫画、作家、旅行、ドライブ、グルメ、釣りなどとしてのグループを選択的に登録できるようにしておく。すると、知らない人と向かい合った際に、お互いが同じ趣味のグループに属していれば、図９の通信が行われて、そのグループや提供データが互いに確認でき、相手が共通の趣味等をもっていることを認識できる。
【００６７】
これらユーザ同士での情報提供を行う場合の提供データＤＴａ，ＤＴｂの内容としては、例えば上記のようにユーザ自身の氏名や通称、愛称などの名称情報でもよいし、自分の属性情報として趣味、嗜好などを紹介する内容でもい。もちろん、所属、年齢、性別、生年月日などの属性情報でもよい。これらは各ユーザが、同一グループに属するユーザに対して教えても良い情報や、教えたい情報として設定すればよい。
提供データの内容としては、各グループに共通内容のデータとしてもよいが、グループ毎に内容を変えても良い。例えば図８（ｂ）の通信管理テーブルにおいて提供データＤＴｂ，ＤＴｃ，ＤＴｄとして示したように、ユーザＢが各グループネームＧＰＮに対応する提供データの内容をそれぞれ個別に任意設定できるようにすることが好適である。
例えばグループネームＧＰＮ１についての提供データＤＴｂは実名データとし、グループネームＧＰＮ２についての提供データＤＴｃは自分の趣味のみを示したデータとし、グループネームＧＰＮ３については提供データを登録せず、グループネームＧＰＮ４についての提供データＤＴｄはニックネームを示す情報とするなどである。
【００６８】
次に或るユーザＢが装着する光通信表示装置１と、図３のように被装着体に取り付けられた光通信装置５０との間の通信について説明する。
上記図８（ｂ）のように、ユーザＢの光通信表示装置１における通信管理テーブルには、或る情報提供サービスについてのグループであるグループネームＧＰＮ１０が登録されているとする。
一方、図３の光通信装置５０では、図８（ｃ）の通信管理テーブルがメモリ部１２に記憶されているとする。この場合、通信管理テーブルには、グループネームＧＰＮ１０と、スタートコードＳＴＣ１０と、リターンコードＲＴＣ１０と、提供データＤＴｆが対応づけられている。
【００６９】
例えばユーザＢが図３の被装着体（ポスター等）に向かい合う状態になると、ユーザＢの光通信表示装置１と、被装着体に取り付けられた光通信装置５０の間で、グループネームＧＰＮ１０が共通であることで図１２のような通信が行われる。
【００７０】
ユーザＢの光通信表示装置１は、図８（ｂ）のように通信管理テーブルに複数のエントリを登録しているため、常時のこの各グループのスタートコードとグループネームを順番に送信している。
ある時点ｔ１０で、ユーザＢが被装着体に向かい合って被装着体を見たとする。このときに、ユーザＢの光通信表示装置１が発したスタートコードＳＴＣ１０及びグループネームＧＰＮ１０を、被装着体に取り付けられた光通信装置５０が受信したとする。
光通信装置５０は、スタートコードＳＴＣ１０としての通信要求を認識したら、グループネームＧＰＮ１０が、自分のグループ（情報提供サービスを享受するグループ）であるか否かを確認する。即ち図８（ｃ）の通信管理テーブルを参照する。この場合、グループネームＧＰＮ１０は該当するグループであり、ユーザＢは当該グループに属して情報提供を受ける権利を有していると判断する。そこで光通信装置５０も通信を実行する。
即ち光通信装置５０は時点ｔ１１において、グループネームＧＰＮ１０についての通信応答情報として図８（ｃ）の通信管理テーブルに登録されているリターンコードＲＴＣ１０を送信し、また対応づけられている提供データＤＴｆを送信する。このリターンコードＲＴＣ１０、提供データＤＴｆは、ユーザＢの光通信表示装置１側が受信することになる。
【００７１】
ユーザＢの光通信表示装置１は、リターンコードＲＴＣ１０として、光通信装置５０からの返信を確認したら、時点ｔ１２において、提供データＤＴｆ及びグループネームＧＰＮ１０の一方又は両方に基づく表示を表示部２で実行する。
図１３に表示例を示す。提供データＤｆが、当該被装着体としてのポスターに関する内容の情報であり、例えば割引チケットの情報などとされているとする。
これによって、ユーザＢの光通信表示装置１の表示パネル部２ａにおいては、その時点で撮像部３で撮像している視界光景の画像（つまりユーザＢが注目しているポスター等の画像）がメイン表示１００として表示されている（もしくは表示パネル部２ａがスルー状態でユーザＢが視認している）とともに、データ表示１０１として、提供データＤＴｆの内容である割引チケット情報がオーバレイ表示される。
またここではグループ表示１０２として「△△グループ」というグループ名が表示される。
この場合も、データ表示１０１、グループ表示１０２の一方又は両方が行われればよい。
【００７２】
或るユーザが、光通信装置５０の被装着体に注目すると、このような通信が自動的に実行され、これによってユーザは、被装着体に関する情報提供を受けることができる。
例えば提供データＤＴｆとしての内容は、被装着体の物体の名称、用途など物体の属性を表すデータであったり、被装着体に関する広告や案内の情報であったり、特定の物体を連続的に探すことを目的として次に探すべき物体の位置、方向など、物体の探査に必要な情報であったり、多様に想定できる。
【００７３】
例えばコンサート、演劇、イベント、映画等に関して、グループ登録したユーザにのみ提供する割引情報、プレイベント情報、試写会情報など、いわゆる会員限定のような形態の情報提供が可能となる。
また、美術館、博物館などで入館者に光通信表示装置１を貸与したり、或いはユーザが自分の光通信表示装置１に、情報サービス提供を受けるグループ登録をしておくことで、展示物の説明の情報、観覧経路の情報などをユーザに提供できるようにもしてもよい。
またリクリエーションイベントなどで、次に探すべき場所や物、向かうべき場所などの情報提供を行うこともできる。
また建物、施設などで、会員限定で提供するサービスの情報を提供することなどもできる。同様に会社、団体などの施設において社員や所属メンバーのみに伝える情報を提供データとしてもよい。
また店舗において商品を被装着体とし、会員など特定の顧客に商品についての詳しい情報や割引情報などを提供することも考えられる。
また被装着体を犬や猫等の動物とした場合、その動物の名前や飼い主の情報を提供データとすることも考えられる。
【００７４】
なお以上の例では、図８に示したようにスタートコード、リターンコードはグループネーム毎に異なるコードとしたが、通信要求情報であるスタートコード自体は、グループネームと同時に送信するという前提に立てば、共通のコードデータであっても良い。グループネームによりグループを識別できるためである。
また通信応答情報としてのリターンコードについても、グループネームと同時に送信するようにするならば、リターンコード自体は共通のコードデータとしてもよい。
スタートコードやリターンコードを共通のコードデータとする場合、これらを通信管理テーブルに登録する必要はない。
図９，図１２の通信手順は一例である。例えばリターンコードと提供データは同時ではなく、別の時点で送信してもよい。
またスタートコードがグループ毎に異なるコードとする場合、スタートコードとともにグループネームを送信しなくてもよい。
またグループネーム自体をスタートコード（通信要求情報）を兼ねる情報としてもよい。
通信手順は多様に考えられるが、あくまでも、同一グループを登録した装置同志が対向した状態で自動的に通信が行われるような手順であればよい。
【００７５】
［４．光通信表示装置の処理例］
以上のような光通信や提供データの表示を行うための、図５の構成の光通信表示装置１、（又は図６の構成の光通信装置３０）のシステムコントローラ１０の処理を図１４で説明する。
【００７６】
システムコントローラ１０はステップＦ１０１で、スタートコード及びグループネームの送信制御を行う。即ち通信管理テーブルにエントリされている１又は複数のグループについて、スタートコード及びグループネームを読み出し、これらを発光制御部５に供給して変調させ、光送信部４から光送信出力させる。複数のエントリが登録されている場合、各グループについてのそれぞれのスタートコード及びグループネームを順番に送信させることになる。
システムコントローラ１０は、ステップＦ１０２，Ｆ１０３，Ｆ１０４の監視処理を行いながらステップＦ１０１の送信処理を繰り返す。つまり、ステップＦ１０２，Ｆ１０３，Ｆ１０４の各監視条件が満たされない期間は、繰り返しステップＦ１０１の送信処理を行う。従って通常時は、通信管理テーブルに登録された１又は複数のグループについてのスタートコード及びグループネームの送信処理が繰り返し実行されることになる。
【００７７】
なお、登録された１又は複数のグループのうちで、ユーザ操作或いは自動選択などにより選択的にスタートコード及びグループネームの送信を行うようにしてもよい。例えばユーザが任意に或るグループについては一時的に通信を行わない設定を行えるようにしたり、システムコントローラ１０が或るグループについてはスタートコード及びグループネームの送信を行う日時、期間などを限定するような設定がおこなわれてもよい。
【００７８】
システムコントローラ１０は、ステップＦ１０２では、他の光通信装置から送信されたスタートコードを受信したか否かを判別する。
またステップＦ１０３では、他の光通信装置から送信されたリターンコードを受信したか否かを判別する。
またステップＦ１０４では、例えばユーザ操作などにより動作終了（電源オフ）の指示があったか否かを判別する。
【００７９】
ステップＦ１０２でスタートコードが検知される場合とは、この図１４の処理を行っている光通信表示装置１又は光通信装置３０が、図９のユーザＢ側の機器の立場に立つことになった場合である。つまり、相手側の他の光通信装置が、同様にステップＦ１０１で送信しているスタートコード及びグループネームを受信した場合である。
一方、ステップＦ１０３でリターンコードが検知される場合とは、この図１４の処理を行っている光通信表示装置１又は光通信装置３０が、図９のユーザＡ側の機器、もしくは図１２のユーザＢ側の機器の立場に立つことになった場合である。つまり、ステップＦ１０１で送信したスタートコード及びグループネームに反応して、相手側の他の光通信装置がリターンコード（及び提供データ）を返してきた場合である。
【００８０】
まずステップＦ１０２でスタートコードの受信を検知した場合について説明する。
撮像部３，撮像制御部６によって他の光通信装置からのスタートコード及びグループネームが受信復調され、システムコントローラ１０に復調されたスタートコード及びグループネームが供給された場合、システムコントローラ１０は処理をステップＦ１０２からＦ１０５に進める。
そしてシステムコントローラ１０は、例えばメモリ部１２に記憶してある通信管理テーブルを参照し、受信されたグループネームが通信管理テーブルに登録されているグループネームに該当するか否かを確認する。即ち、今回スタートコード及びグループネームを送信してきた他の光通信装置が、自己と同一のグループに属しているか否かを確認する。
もし受信したグループネームが、自己の通信管理テーブルに登録されたグループに該当するグループネームでなければ、特にスタートコード及びグループネームの受信に伴う処理を行わずに、ステップＦ１０６からステップＦ１０１に戻る。つまり、同一グループではないと判断して、通信を行わない。
【００８１】
一方、受信したグループネームが、自己の通信管理テーブルに登録されたグループに該当した場合、システムコントローラ１０はステップＦ１０６からＦ１０７に進め、リターンコード及び提供データの送信処理を行う。即ち通信管理テーブルにおいて、受信したグループネームと同一のグループネームに対応されて記憶されているリターンコードと提供データを読み出し、これらを発光制御部５に転送して変調処理を実行させ、光送信部４から光送信出力させる。なお、今回のグループネームに対応して提供データが登録されていない場合は、リターンコードのみを送信することになる。
そしてシステムコントローラ１０はステップＦ１０８で、相手側の他の光通信装置からの提供データの受信を待機する。
【００８２】
このステップＦ１０８での提供データの受信は所定時間待機する。例えばシステムコントローラ１０はリターンコードを送信した時点からタイムカウントを開始し、他の光通信装置からの提供データの受信が得られない期間は、ステップＦ１０９でタイムアウトとなったか否かを判別している。
タイムアウトとなる前に提供データの受信が検出された場合は、システムコントローラ１０はステップＦ１０８からＦ１１１に進み、受信した提供データをメモリ部１２に記憶させる。
そしてステップＦ１１２で、受信した提供データ及び／又は今回のグループネームに基づく表示を、表示部２において実行させる。例えば図１０（ａ）（ｂ）又は図１１（ａ）（ｂ）のような表示が行われることになり、これによって当該光通信表示装置１（又は光通信装置３０）のユーザは、視線の合った相手が装着している他の光通信装置からの情報を見ることができる。
【００８３】
提供データが受信されないままステップＦ１０９でタイムアウトと判定した場合は、ステップＦ１１０に進め、今回のグループネームに基づく表示を、表示部２において実行させる。例えば図１１（ｂ）のような表示が行われることになる。これによって当該光通信表示装置１（又は光通信装置３０）のユーザは、視線の合った相手が自分と共通のグループに属していることを知ることができる。
なお、提供データが受信されなかった場合、グループネームに基づく表示を行わずに、ステップＦ１０１に戻るようにしても良い。
【００８４】
ステップＦ１１２又はＦ１１０における、受信した提供データ及び／又は今回のグループネームに基づく表示については、撮像部３で撮像された画像のモニタ表示上に提供データやグループネームに基づく表示をオーバレイ表示させても良いし、表示パネル部２ａをスルー状態とした上で提供データやグループネームに基づく表示をおこなってもよい。
また、このステップＦ１１２又はＦ１１０で開始された、提供データ及び／又はグループネームに基づく表示については、所定の条件で終了させる。例えば一定時間のみ表示を行うようにしても良いし、ユーザの操作によって表示を終了させるようにしても良い。
また、撮像制御部６において撮像画像解析（つまりユーザの正面の光景の解析）を行い、対向する相手（光通信相手）をユーザが見ているか否かを判定する。そしてユーザが他の方向を向くなどして、撮像画像内に光通信相手が存在しなくなった時点で提供データやグループネームに基づく表示を終了させるようにしてもよい。
【００８５】
次にステップＦ１０３でリターンコードの受信を検知した場合について説明する。
撮像部３，撮像制御部６によって他の光通信装置からのリターンコードと提供データが受信復調され、システムコントローラ１０にリターンコードの受信が伝えられた場合、システムコントローラ１０は処理をステップＦ１０３からＦ１１３に進める。そして、提供データについて、メモリ部１１に記憶させる。なお、提供データが受信されなかった場合はこの処理を省く。
次にシステムコントローラ１０はステップＦ１１４で、表示制御部７に指示して、提供データ及び／又は、グループネームに基づく表示を開始させる。これにより例えば図１０（ａ）（ｂ）又は図１１（ａ）（ｂ）のような表示が行われることになり、当該光通信表示装置１（又は光通信装置３０）のユーザは、視線の合った相手が装着している他の光通信装置からの情報を見ることができる。或いは図１３のような表示が行われ、当該光通信表示装置１（又は光通信装置３０）のユーザが、被装着体に取り付けられた光通信装置５０からの情報を見ることができる。
なお、この場合の表示制御や、表示の終了に関しては上記ステップＦ１１２又はＦ１１０と同様に多様な処理方式が考えられる。
【００８６】
続いてシステムコントローラ１０はステップＦ１１５に進み、相手側に送信する提供データの有無を確認する。即ち通信管理テーブルにおいて、今回のグループネーム（受信したリターンコードに該当するグループネーム）に対応して提供データが登録されているか否かを確認する。提供データが登録されていなければ、ステップＦ１０１に戻る。
今回のグループネームに対応して提供データが登録されていれば、システムコントローラ１０は処理をステップＦ１１６に進め、提供データの送信処理を行う。即ち通信管理テーブルにおいて、今回のグループネームに対応されて記憶されている提供データを読み出し、これらを発光制御部５に転送して変調処理を実行させ、光送信部４から光送信出力させる。そしてステップＦ１０１に戻る。
【００８７】
ステップＦ１０４で終了と判断された場合は、システムコントローラ１０はステップＦ１１７に進み、動作終了処理として各部の動作の停止や電源オフ処理を行って一連の動作を終了する。
ユーザが装着する光通信表示装置１、又は光通信装置３０は、システムコントローラ１０が例えばこの図１４のような処理を行うことで、図９〜図１３で述べた動作が実行されることになる。
【００８８】
［５．被装着体に取り付けられた光通信装置の処理例］
人以外の被装着体に取り付けられた図７の構成の光通信装置５０におけるシステムコントローラ１０の処理例は図１５のようになる。
光通信装置５０のシステムコントローラ１０は、ステップＦ２０１で、他の光通信装置（この場合、人が装着している光通信表示装置１又は光通信装置３０）から送信されたスタートコードを受信したか否かを判別する。
【００８９】
ステップＦ２０１でスタートコードが検知される場合とは、この図１５の処理を行っている光通信装置５０の被装着体に対して、光通信表示装置１又は光通信装置３０を装着したユーザが正面に対峙し、被装着体に視線を向け、光通信表示装置１又は光通信装置３０が上記図１４のステップＦ１０１で送信しているスタートコード及びグループネームを受信した場合である。
【００９０】
光受信部８，データ復調部９によって他の光通信装置からのスタートコード及びグループネームが受信復調され、システムコントローラ１０に復調されたスタートコード及びグループネームが供給された場合、システムコントローラ１０は処理をステップＦ２０１からＦ２０２に進める。
そしてシステムコントローラ１０は、例えばメモリ部１２に記憶してある通信管理テーブルを参照し、受信されたグループネームが通信管理テーブルに登録されているグループネームに該当するか否かを確認する。即ち、今回スタートコード及びグループネームを送信してきた他の光通信装置が、自己と同一のグループに属し、提供データを享受する資格を有しているか否かを確認する。
もし受信したグループネームが、自己の通信管理テーブルに登録されたグループに該当するグループネームでなければ、特にスタートコード及びグループネームの受信に伴う処理を行わずに、ステップＦ２０３からステップＦ２０１に戻る。つまり、同一グループではないと判断して、通信を行わない。
【００９１】
一方、受信したグループネームが、自己の通信管理テーブルに登録されたグループに該当した場合、システムコントローラ１０はステップＦ２０３からＦ２０４に進め、リターンコード及び提供データの送信処理を行う。即ち通信管理テーブルにおいて、受信したグループネームと同一のグループネームに対応されて記憶されているリターンコードと提供データを読み出し、これらを発光制御部５に転送して変調処理を実行させ、光送信部４から光送信出力させる。そしてステップＦ２０１に戻る。
【００９２】
被装着体に取り付けられた光通信装置５０におけるシステムコントローラ１０がこの図１５のような処理を行うことにより、ユーザが装着した光通信表示装置１又は光通信装置３０との間で図１２のような通信が行われる。これによってユーザに対して情報提供サービスを行うことができる。
【００９３】
なお、被装着体に取り付けられた光通信装置５０が、指向角度の狭い発光を行う光送信部４から常時スタートコードを送信するようにし、人が装着している光通信表示装置１又は光通信装置３０からのリターンコードの受信に応じて提供データの送信を行うようにしてもよい。
【００９４】
［６．実施の形態の効果、及び変形例、拡張例］
以上の実施の形態によれば、互いに光通信表示装置１又は光通信装置３０を装着したユーザ同志が視線が合わせたときに、その相互の光通信表示装置１（又は光通信装置３０）の間で光通信が行われる。これによってユーザ同士が向かい合う際に互いに情報提供を行うことができ、多様なコミュニケーション機会を創出することができる。
また、光通信表示装置１又は光通信装置３０を装着したユーザが、光通信装置５０が取り付けられた被装着体に注目したときに、その光通信表示装置１又は光通信装置３０と、光通信装置５０の間で光通信が行われ、光通信表示装置１又は光通信装置３０に情報が提供される。これによってユーザは情報提供サービスを享受できる。
【００９５】
また、光通信による提供データの通信は、識別情報としてのグループネームにより、互いが同一のグループに属していると判断したときに、相手側が情報通信対象と認識して実行する。このため、光通信表示装置１又は光通信装置３０を装着したユーザ同士が向かい合ったことのみでむやみに提供データの伝送が行われることはなく、適切な相手にのみ情報を提供できることになる。
被装着体に取り付けられた光通信装置５０についても、グループネームが一致した場合のみ提供データを送信するため、所定の条件を満たして同一グループに登録されたユーザのみに情報提供を行うことができる。例えば会員限定の情報提供、興味対象が合致する一般ユーザのみへの情報提供、会社や団体等の職員のみへの情報提供、施設管理者等の所定の職員などのみへの情報提供、利用料を支払ってグループ登録したユーザのみへの情報提供など、多様な形態で利用者を限定した情報提供を行うことができる。
【００９６】
また、光通信には可視光を用いれば、光通信時の発光部４ａの点滅発光を、相対するユーザが認識できる。このため、或るユーザが多数の人が向かい合っているときに、情報通信を行っている相手を認識し易い。
一方、赤外光など可視光領域外の波長の光を用いるようにすることで、通信時の発光点滅は人には見えないため、むやみに点滅することで本人や周囲の人が違和感を感じたり不快に感じることをなくすことができる。
【００９７】
また光通信表示装置１、光通信装置３０では、光通信の受光手段として撮像部３を用いているが、これによって撮像動作と光通信動作を兼ね、構成の簡略化を図ることができる。
撮像部３で撮像が行われ、撮像画像データがメモリ部１２に記憶されるようにすれば、ユーザは日常の光景を記録できる。例えば常時撮像画像データを記録している中で、光通信が行われたときは、その撮像画像データとともに提供データやグループネームなども記録するようにすれば、後に撮像画像データを再生させたときも、提供データやグループネームを確認できることになる。
また、撮像機能（撮像部３，撮像制御部６）をなくし、光通信表示装置１、光通信装置３０において光通信装置５０で述べたような光受信部８をデータ復調部９を備えるようにすれば、光通信表示装置１、光通信装置３０の構成の簡略化や軽量化を図ることができる。
【００９８】
ここまで説明してきた実施の形態の光通信表示装置１，光通信装置３０，５０の構成例や処理例については多様な変形例や拡張例が考えられる。ここでは本発明に該当する範囲での実施の形態の変形例や拡張例を述べていく。
【００９９】
図１６は、光通信表示装置１又は光通信装置３０のシステムコントローラ１０の他の処理例を示したものである。この図１６では上記図１４と同一の処理には同一のステップ番号を付し、説明を省略するが、特にスタートコード及びグループネームの送信処理に関して、ステップＦ９１、Ｆ９２、Ｆ９３の処理を行うようにしたものである。
この場合、システムコントローラ１０は、最初にステップＦ９１で撮像制御部６に対して撮像画像解析を開始させる。ここでは特に、撮像画像において、人と認識できる画像が含まれているか否かの解析を行うようにする。
【０１００】
撮像制御部６の解析結果として、特に撮像画像光景、つまりユーザの前方において人の存在が認識できない場合は、ステップＦ９２からＦ１０２，Ｆ１０３，Ｆ１０４の監視処理を行って、ステップＦ９２に戻る。
撮像制御部６の画像解析によって人の存在が認識された場合は、ステップＦ９３に進み、システムコントローラ１０はスタートコード及びグループネームの送信制御を行う。即ち通信管理テーブルにエントリされている１又は複数のグループについて、スタートコード及びグループネームを読み出し、これらを発光制御部５に供給して変調させ、光送信部４から光送信出力させる。そしてステップＦ１０２，Ｆ１０３，Ｆ１０４の監視処理に進む。
ステップＦ１０２，Ｆ１０３，Ｆ１０４以降の処理は上記図１４と同様である。
【０１０１】
即ちこの図１６の処理例は、スタートコード及びグループネームの光送信を、常時ではなく、ユーザの視線方向に人がいることを検知した場合にのみ実行するものである。
ユーザの前方に人がいない場合は、スタートコード及びグループネームの送信は無駄となるため、人の認識に応じて送信することで処理の効率化や消費電力の低減という効果を得ることができる。
なお、人の認識によってスタートコード及びグループネームを送信するというのは、ユーザが装着する光通信表示装置１又は光通信装置３０同士の通信を想定したものであり、被装着体に取り付けられた光通信装置５０に対してスタートコード及びグループネームを送信するということは行われない。
但し、この場合、例えば被装着体に取り付けられた光通信装置５０が、常時スタートコード及びグループネームを送信するようにすれば、光通信装置５０からのスタートコード及びグループネームの受信に応じて、この図１６の処理を行う光通信表示装置１又は光通信装置３０がステップＦ１０２以降に進むことになるため、光通信装置５０との間の通信も成立できることになる。
【０１０２】
また、画像解析性能によっては、人の認識ではなく他の光通信装置自体の認識を行うようにしてもよい。
特に光通信表示装置１、光通信装置３０、光通信装置５０において、これらに共通する、特有の筐体形状（筐体一部の形状）やマークなどを決めておき、それを認識することでスタートコード及びグループネームを発信するという手法も考えられる。
【０１０３】
次に提供データやグループネームに基づいた表示処理についての動作例を述べる。
図１０，図１１，図１３に例示したように提供データやグループネームに基づく表示が行われるわけであるが、提供データとグループネームの両方に基づく表示、提供データに基づく表示のみ、或いはグループネームに基づく表示のみのいずれを実行するかについては、ユーザが予め選択設定したり、設定変更を行うことができるようにしてもよい。
【０１０４】
また、これらの表示を行う際には、その時点のメイン表示１００の輝度、色、特にデータ表示１０１やグループ表示１０２の周囲の輝度や色に応じて、データ表示１０１やグループ表示１０２の輝度、色度、透過率等を調整することが好適である。例えば周囲の画像に相反する色や輝度を選択してデータ表示１０１やグループ表示１０２を行い、データ表示１０１やグループ表示１０２の視認性を高める。
【０１０５】
またデータ表示１０１やグループ表示１０２を表示パネル部２ａの画面上のどの位置に表示するかは多様に考えられる。画面上の下端部、上端部などにおいてメイン表示１００と分割して表示してもよいし、図１０，図１１、図１３のようにメイン表示１００に重畳するように表示させてもよい。さらに、画面上での表示位置をユーザが選択できるようにしてもよい。
また提供データやグループネームに基づいて表示するデータ量が多い場合などは、スクロール表示やページ送り表示によって全データが表示されるようにすることも考えられる。
また提供データが画像データであったり、画像データが含まれている場合も想定される。その場合、画像データを子画面で表示したり、画面全体に画像データを表示することも考えられる。
【０１０６】
またデータ表示１０１やグループ表示１０２を、通信相手となっている相手の画像の近傍に表示することも好適である。
例えば図１７のように、ユーザの前方に複数の人物がいて、それらの人物が表示パネル部２ａで表示されている（もしくはスルー状態で表示パネル部２ａを介して見ている）場合、表示パネル部２ａの画面上でのデータ表示１０１の位置を、画面上での通信相手の位置の近傍とすることで、誰からの提供データであるかを分かり易くすることができる。
例えば撮像画像を解析することによっては、光通信での相手側の送信光の発光位置を、画面上の位置として検出することができるため、その検出した発光位置に応じてデータ表示１０１やグループ表示１０２の表示位置を決定する。
なお、データ表示１０１やグループ表示１０２自体を発光位置の近傍にしなくとも、発光位置を検出したら、画面上における発光位置にポインタ表示等を行って指し示すようにしてもよい。このようにすれば、データ表示１０１やグループ表示１０２の表示位置を画面の隅などに固定しても、ユーザが通信相手を認識し易くできる。
【０１０７】
また光通信表示装置１又は光通信装置３０の構成例として、図１８に示すように撮像部８，撮像制御部６とともに、光受信部８、データ復調部９を設ける構成も考えられる。
このような構成により、撮像部８，撮像制御部６は撮像機能のみで動作し、光受信部８、データ復調部９は光通信における受信機能のみで動作することが考えられる。
【０１０８】
さらに、このような構成において、次のような動作を行うことも考えられる。
光通信は赤外光などの可視光領域外の波長の光を使用するものとする。
そして撮像部３は、可視光領域に加えて可視光領域外、例えば赤外光を検出できる構成とすると共に、可視光のみを通過させるフィルタを設ける。光受信部８は、可視光領域外、例えば赤外光を検出するものとする。
通常時は、撮像部３において上記フィルタを機能させ、可視光のみの撮像を行い、撮像画像を表示部２で表示させる。
一方、相手側の他の光通信装置から送信されてくるスタートコードの検出は光受信部８、データ復調部９により実行する。
そしてもし相手が同一グループであって通信を開始する場合は、撮像部３において上記フィルタを外し、光通信の発光パターンについてもユーザが撮像画像上で認識できるようにする。
このようにすると、同一グループ間での通信を行わない限り、ユーザには他の光通信装置での発光は見えない。これによって余計な発光が見えることで視覚的に邪魔に感じることが無くなる。
一方で、同一グループ同士時での通信が行われるときは、ユーザは相手側の発光が見えることになる。これによって通信相手を認識し易いことになる。
【０１０９】
光通信におけるグループネーム、スタートコード、リターンコード、提供データの通信の全部又は一部は、暗号化を行うようにしてもよい。少なくとも提供データについて暗号化を行うようにしてもよい。
暗号化は、システム上で共通の暗号鍵を用いて行うものでもよいが、例えばグループ毎に暗号鍵が設定されているようにすると、グループ内のセキュリティ維持に好適である。
例えば図１９に示すように、通信管理テーブルにおいて、各グループネームに対応して異なる暗号鍵Ｋ１，Ｋ２，Ｋ３・・・を登録する。
そして例えばグループネームＧＰＮ２の光通信表示装置１同志で通信を行う場合は、提供データＤＴｃを暗号鍵Ｋ２により暗号化して送信する。相手側もグループネームＧＰＮ２に対応させて暗号鍵Ｋ２を登録していることで、提供データＤＴｃを復号して取得できる。
【０１１０】
また提供データは、音声データであることも考えられる。
例えば光通信表示装置１又は光通信装置３０において、イヤホンなどの音声出力部や、音声信号処理部を設けるように、提供データとして音声データが受信されたら、その音声データをイヤホン等から音声出力してユーザに聞かせるようにすることも想定される。
【０１１１】
［７．実施の形態の更なる拡張例（通信ログに基づく集計）］
実施の形態の更なる拡張例を述べる。ここでは人が装着する光通信表示装置１又は光通信装置３０や、看板等の被装着体に装着される光通信装置５０が、光通信を行った際に通信ログ（通信履歴情報）を保存し、その後、通信ログを用いて集計処理を行って有益な情報（ランキング情報）を生成する動作を行うことを述べる。
【０１１２】
まず図２０で、人以外の被装着体に装着される光通信装置５０の処理例を述べる。ここでは、被装着体の例として看板を挙げる。
なお、図２０において図１５と同一の処理は同一のステップ番号を付し、重複説明を避ける。
この図２０としての光通信装置５０のシステムコントローラ１０の処理例では、図１５の処理にステップＦ２５０が追加されている。
即ち、ステップＦ２０１で他の光通信装置（人が装着している光通信表示装置１又は光通信装置３０）から送信されたスタートコードを受信し、ステップＦ２０２でグループネームの取込や通信管理テーブルの確認を行った後、ステップＦ２５０として、通信ログの保存処理を行う。例えばシステムコントローラ１０は、通信ログとして、タイムスタンプ、グループネームを通信ログとして例えばメモリ部１２に保存する。
タイムスタンプとは、スタートコード受信時の年月日時分秒の情報である。システムコントローラ１０は内部の時計機能で現在の年月日時分秒を計数しており、スタートコード受信時の年月日時分秒をタイムスタンプとして通信ログに加える。
【０１１３】
そして相手側の他の光通信装置からのグループネームが、当該光通信装置５０の通信管理テーブルに登録されたグループネームであれば、ステップＦ２０３からＦ２０４Ａに進んで、リターンコードや提供データを送信する。なお、ここではリターンコードや提供データと共に、当該光通信装置５０が装着された被装着体（この場合、看板）の識別情報としての看板ＩＤも送信する。例えばシステムコントローラ１０は、被装着体としての看板の識別情報としての看板ＩＤ（看板個体のＩＤでもよいし、同一の提示内容の看板に共通のＩＤでもよい）を保存しており、この看板ＩＤを送信するようにする。
なお、この看板ＩＤの送信は、図２２で後述するように、人が装着している光通信表示装置１又は光通信装置３０側での通信ログの保存や集計に用いるためのものであり、特に看板側の光通信装置５０が処理に用いるものではない。従って、人が装着している光通信表示装置１又は光通信装置３０側で後述する看板ＩＤを含むログ保存を行わないのであれば、光通信装置５０が看板ＩＤを送信する必要はない。
【０１１４】
例えばこの図２０の処理により、スタートコードが受信される毎に通信ログの保存が行われ、通信ログの情報が図２１（ａ）のように保存されていくことになる。つまりタイムスタンプと共に、当該看板を見たユーザが装着していた光通信表示装置１又は光通信装置３０から送られたグループネームが保存される。
このように通信ログの保存を行うことで、ある時点でログ情報の集計を行い、有益な情報を得ることができる。
例えば図２１（ｂ）には、３月の１ヶ月間の通信ログの集計を行って、グループネームのランキングデータを生成した例である。
タイムスタンプにより例えば２００７年３月のログデータを抽出し、その中でグループネーム毎の数を集計することで、このようにグループネーム毎のカウント数のランキングを示したデータを生成できる。
このランキングデータは、看板を見た人の総数や、どのようなグループネームの人が何回この看板を見たかということを示すデータとなる。例えば上述したように趣味や嗜好に応じてグループネームが設定されていれば、どのような趣味嗜好の人が看板をよく見ているか、或いはどのような趣味嗜好の人が看板をあまり見ていないか、などといったことを把握できる。つまり看板による宣伝効果を推定したり、より効果的な宣伝のための指標などとして、このランキングデータを利用できることとなる。
【０１１５】
また、ここでは看板の例を挙げたが、光通信装置５０の被装着体を例えば商品や展示品などとした場合、ランキングデータは、それらの商品や展示品を見たり、手に取って見た人の総数や、興味を抱いた人の傾向としての趣味嗜好（グループネーム）を把握するための情報となる。
例えば音楽ＣＤ、ＤＶＤ等の商品を被装着体とする場合、アルバムジャケットの効果（人目を引くジャケットであるか否か）などの判定にも用いることができる。もちろん電気製品、衣服、書籍、家具、日用品など、あらゆる商品でも、その商品の注目度や、注目する人の趣味・嗜好の傾向の判断にも有用な情報となる。
【０１１６】
なお、図２０の処理では、スタートコードの受信時に、送信されてきたグループネームが、当該光通信装置５０の該当グループであるか否かにかかわらずログデータ保存を行うようにしたが、例えばステップＦ２０４Ａの直前又は直後にログデータ保存を行うようにしてもよい。つまり該当グループネームのユーザが看板等を見た場合のみ、ログ保存を行うという処理例である。
【０１１７】
また図１５の説明においても付記したが、被装着体に装着された光通信装置５０が、スタートコードを送信するようにし、他の光通信装置からのリターンコードを受信した際にも提供データの送信を行うようにしても良い。そのような処理動作を行う場合、リターンコードの受信に応じてもログ保存を行うことが適切である。
また、通信ログにはユーザ側の情報としてはグループネームのみを保存し、ユーザ個人のプライバシーを侵害するような情報を含まないようにすることが好適である。
【０１１８】
また、生成したランキングデータの出力形態は多様に考えられる。例えば図７の構成に加えて表示部や操作部を設け、光通信装置５０の管理者の操作に応じてランキングデータが表示部に表示されるようにしても良い。
また光ディスクやメモリカードなどの可搬性記録媒体に対する記録部を設け、ランキングデータを可搬性記録媒体に記録し、管理者等が可搬性記録媒体を持ち出すことで、他の再生装置でランキングデータを見ることができるようにしても良い。
さらに、通信部を設け、ランキングデータを送信出力することで、管理者等が受信側の機器でランキングデータを見ることができるようにしてもよい。
【０１１９】
次に、人が装着する光通信表示装置１又は光通信装置３０における通信ログの記録及びその集計について述べる。
図２２に光通信表示装置１又は光通信装置３０のシステムコントローラ１０の処理を示す。これは上記図１４の処理に、ログの保存の処理としてステップＦ１５０、Ｆ１５１を加えたものである。図１４と同一処理は同一ステップ番号を付し説明を省略する。
【０１２０】
この図２２の場合、ステップＦ１０３でリターンコードを受信した場合、ステップＦ１５０で通信ログ保存処理が行わる。またステップＦ１０２でスタートコードを受信した場合も、ステップＦ１５１で通信ログ保存処理が行われる。
即ち、ステップＦ１５０，Ｆ１５１では、他の光通信装置（他人の光通信表示装置１又は光通信装置３０、又は看板等の被装着体の光通信装置５０）からのスタートコードやリターンコードの受信に応じて、システムコントローラ１０は、通信ログとして、タイムスタンプ、グループネーム、及び看板ＩＤを例えばメモリ部１２に保存する。
タイムスタンプとは、スタートコード或いはリターンコードの受信時の年月日時分秒の情報である。システムコントローラ１０は内部の時計機能で現在の年月日時分秒を計数しており、スタートコード或いはリターンコードの受信時の年月日時分秒をタイムスタンプとして通信ログに加える。
またグループネームについては、ステップＦ１５１の場合は、ステップＦ１０５で取り込んだグループネームであり、ステップＦ１５０の場合は、リターンコードを相手から送信させることとなったグループネーム（つまり自身がステップＦ１０１で送信したグループネーム）である。
また、光通信相手が看板に装着された光通信装置５０であって上記図２０の処理を行うものであった場合は、リターンコードとともに看板ＩＤも送信されてくるが、その場合（つまり看板ＩＤが受信された場合）は看板ＩＤもログデータに加える。
なお、ここでは「看板ＩＤ」を例として説明しているが、光通信装置５０が商品や展示品に装着されている場合、看板ＩＤに代わって「商品ＩＤ」や「展示品ＩＤ」となることはいうまでもない。
【０１２１】
例えばこの図２２の処理により、スタートコードやリターンコードが受信される毎に通信ログの保存が行われ、通信ログの情報が図２３（ａ）のように保存されていくことになる。つまりタイムスタンプと共に、通信相手となった他人の光通信表示装置１、又は他人の光通信装置３０、又は看板等の被装着体の光通信装置５０からのグループネームが保存される。また通信相手が看板の光通信装置５０であった場合、看板ＩＤも保存されることになる。図２３（ａ）のログデータにおいて、例えばグループネームＧＰＮ１０、ＧＰＮ１５は、看板の光通信装置５０に該当するグループネームであるとしており、それらについて看板ＩＤがとも保存される状態を示している。
一方、グループネームＧＰＮ１は、他人が装着する光通信表示装置１又は光通信装置３０からのスタートコード又はリターンコードに応じたグループネームであり、その場合はタイムスタンプと共にグループネームのみが保存される。
【０１２２】
このように通信ログの保存を行うことで、ログ情報の集計を行ってランキング情報を得ることができる。
例えば図２３（ｂ）には、３月の１ヶ月間の通信ログの集計を行って、グループネームのランキングデータを生成した例である。
タイムスタンプにより例えば２００７年３月のログデータを抽出し、その中でグループネーム毎の数を集計することで、このようにグループネーム毎のカウント数のランキングを示したデータを生成できる。
このランキングデータは、ユーザ自身が出会った人や見た看板等について、グループネーム毎の回数を示すデータとなる。
特に集計の仕方として、例えば相手が人である場合のログ（看板ＩＤが含まれていないログデータ）を抽出して集計すれば、ランキングデータは、どのグループネームの人にそれぞれ何回出会ったかを示す情報となる。
また看板ＩＤが含まれているログデータを抽出して集計すれば、ランキングデータは自分がどのような看板（どのようなグループネームの看板）を何回見たかを示す情報となる。
また、図２３（ｃ）は、例えばタイムスタンプにより抽出した或る期間の中で、看板ＩＤ毎のログデータ数を集計したランキングデータである。
このランキングデータは、ユーザ自身が各看板ＩＤの看板をそれぞれ何回見ているかを示す情報となり、また自分が興味を持っている看板を示すものともなる。
もちろん看板ＩＤではなく商品ＩＤ、展示品ＩＤなどとしてのランキングデータを生成すれば、ユーザ自身が興味を持った商品等を示す情報となったり、目にした回数の多い商品等を示す情報となる。
【０１２３】
また、生成したランキングデータの出力形態は多様に考えられる。例えばユーザの操作に応じて、図５又は図６の表示部２でランキングデータが表示されるようにしても良い。
また光ディスクやメモリカードなどの可搬性記録媒体に対する記録部を設け、ランキングデータを可搬性記録媒体に記録し、その可搬性記録媒体を他の再生装置で再生してランキングデータを見ることができるようにしても良い。
さらに、通信部を設け、ランキングデータを送信出力することで、ユーザ自身もしくは他人が受信側の機器でランキングデータを見ることができるようにしてもよい。
【０１２４】
次に多数のユーザの光通信表示装置１又は光通信装置３０のログデータや、多数の被装着体に装着された光通信装置５０のログデータを、集計サーバで集計するシステムを考える。
図２４にシステム形態を示す。人が装着する光通信表示装置１（又はここでは図示していないが光通信装置３０）は、図５（又は図６）の構成に加えて通信部１４を備えるようにする。
また看板等の被装着体に装着される光通信装置５０も、図７の構成に加えて通信部１４を備えるようにする。そして、これらの光通信表示装置１、光通信装置３０、光通信装置５０の通信部１４は、ネットワーク６０を介して集計サーバ７０と通信可能とされる。
ネットワーク６０としては、インターネット、携帯電話通信網、ＰＨＳ通信網、アドホックネットワーク、ＬＡＮなど、各種考えられる。
【０１２５】
そして、光通信表示装置１と光通信装置５０の間や、或いは人が装着した光通信表示装置１（又は光通信装置３０）同志は、上述したように光通信によりスタートコード、リターンコード、提供データ等の授受を行うわけであるが、それらの光通信を行うことに応じて生成したログデータを、ネットワーク６０を介して集計サーバ７０に送信する。
このようにすると、集計サーバ７０は、多数の光通信表示装置１（又は光通信装置３０）や、多数の光通信装置５０のログデータを集め、それらの集計処理を行うことができるようになる。
【０１２６】
この図２４のようなシステムを前提とした処理例として、まず図２５に、看板等の被装着体に装着された光通信装置５０のコントローラ１０の処理例を示す。
図２５は、上記図２０の処理にステップＦ２５１を加えたものである。即ちスタートコードの受信の際に、ステップＦ２５０としてタイムスタンプとグループネームを含むログデータを保存したら、続いてステップＦ２５１で、そのログデータとしてのタイムスタンプ、グループネームと、さらに看板ＩＤとを通信部１４から集計サーバ７０に送信させる処理を行う。
【０１２７】
各看板に装着された光通信装置５０が、この図２５の処理を行うことで、集計サーバ７０には、看板ＩＤ毎にログ情報（タイムスタンプとグループネーム）が集積されていく。
つまり集計サーバ７０では、多数の光通信装置５０からのログデータを集め、それらを対象として集計処理を行い、各種ランキングデータを生成することができる。
例えば各看板ＩＤの看板が、どのような趣味・嗜好（グループネーム）の人たちによって見られているかのランキングデータを生成できる。例えば１つの看板ＩＤに対して、グループネームの集計数の順位のランキングデータである。
また、人に見られている看板ＩＤの順位としてのランキングデータも生成できる。即ち看板ＩＤ毎の見られた回数としてのカウント値のランキングデータである。
また各グループネームについて、どの看板ＩＤがよく見られているかのランキングデータを生成できる。即ち或るグループネームに対して、看板ＩＤの集計数のランキングデータである。
さらに、看板ＩＤによって看板が設置されている場所などが判別できるのであれば、場所毎にランキングデータを生成できる。例えば渋谷駅ハチ公周辺に設置されている看板の看板ＩＤのログデータを抽出し、その集計を行うことで、ハチ公周辺で、どの看板がよく見られているかといったことを示すランキングデータを生成することができる。即ちハチ公周辺の各看板ＩＤの集計数のランキングデータである。
また特定のグループネームで、特定の場所での看板ＩＤのログデータを抽出して集計すれば、その場所での特定のグループネームの人を対象とした看板ＩＤの集計数のランキングデータを生成できる。
【０１２８】
これらのような集計サーバ７０の集計処理により、どの看板が良く見られているかなどの広告効果の判定や、どのような人（グループネーム）に見られているかの傾向、或いは場所毎での広告効果や、場所内での看板毎の広告効果の分析など、看板に関する多様な情報を得ることができる。
もちろん看板以外の商品や展示物などについても同様に、有益なランキングデータを生成できる。
【０１２９】
図２６は、上記図２４のシステムを前提とした、人が装着する光通信表示装置１又は光通信装置３０のシステムコントローラ１０の処理例である。
この図２４は、上記図２２の処理にステップＦ１５２，Ｆ１５３を加えたものである。即ちスタートコードの受信の際に、ステップＦ１５１としてタイムスタンプ、グループネーム、看板ＩＤを含むログデータを保存したら、続いてステップＦ１５３で、そのログデータとしてのタイムスタンプ、グループネーム、看板ＩＤを通信部１４から集計サーバ７０に送信させる処理を行う。
またリターンコード、受信の際にステップＦ１５０でタイムスタンプ、グループネーム、看板ＩＤを含むログデータを保存したら、続いてステップＦ１５２で、そのログデータとしてのタイムスタンプ、グループネーム、看板ＩＤを通信部１４から集計サーバ７０に送信させる処理を行う。
なお、例えばユーザ同士の通信であって、看板ＩＤを含まないログデータが生成される場合は、ステップＦ１５２又はＦ１５３の送信処理を行わないようにする例も考えられる。
【０１３０】
光通信表示装置１又は光通信装置３０が、この図２６の処理を行うことで、集計サーバ７０には、多数のユーザの光通信表示装置１又は光通信装置３０のログ情報（タイムスタンプ、グループネーム、看板ＩＤ）が集積されていく。集計サーバ７０では、これらを対象として集計処理を行い、各種ランキングデータを生成することができる。
この場合も、例えば各看板ＩＤの看板が、どのような趣味・嗜好（グループネーム）の人たちによって見られているかのランキングデータを生成できる。
また、人に見られている看板ＩＤの順位としてのランキングデータも生成できる。即ち看板ＩＤ毎の見られた回数としてのカウント値のランキングデータである。
また各グループネームについて、どの看板ＩＤがよく見られているかのランキングデータを生成できる。
さらに、看板ＩＤによって看板が設置されている場所などが判別できるのであれば、場所毎にランキングデータを生成できる。
【０１３１】
つまり、この場合も、上記図２５で述べた場合と同様に、看板についての広告効果や傾向を示す有益なランキングデータ、更には場所毎のランキングデータや特定の場所内での各看板のランキングデータなどを生成できる。
もちろん看板に限らず、商品や展示物についてのＩＤが含まれるログデータを、集計サーバ７０が収集するようにすれば、それらの商品等の注目度などの指標となるランキングデータを生成できる。
【０１３２】
以上、通信ログに基づく集計処理について述べてきたが、これらの集計結果としての各種ランキングデータは、広告活動や商品販売に関する重要なリサーチデータとなったり、ユーザ個人の行動の傾向を再確認できるデータとなる。
特に、本例の光通信表示装置１又は光通信装置５０と、看板等の光通信装置５０は、人が「見た」という状態において光通信が行われることから、看板や商品等について考えると、人が実際に「見た」という事象に応じてログデータが保存され、それが集計されることになるため、ランキングデータは、広告効果や注目度などとして非常に信頼性が高く、実情に即した情報となる。
【図面の簡単な説明】
【０１３３】
【図１】本発明の実施の形態の光通信表示装置の外観例の説明図である。
【図２】実施の形態の光通信装置、表示装置の外観例の説明図である。
【図３】実施の形態の被装着体に取り付けられた光通信装置の説明図である。
【図４】実施の形態の各装置間の光通信動作の説明図である。
【図５】実施の形態の光通信表示装置のブロック図である。
【図６】実施の形態の光通信装置及び表示装置のブロック図である。
【図７】実施の形態の被装着体に取り付けられる光通信装置のブロック図である。
【図８】実施の形態の通信管理テーブルの説明図である。
【図９】実施の形態の光通信動作の説明図である。
【図１０】実施の形態の表示例の説明図である。
【図１１】実施の形態の表示例の説明図である。
【図１２】実施の形態の光通信動作の説明図である。
【図１３】実施の形態の表示例の説明図である。
【図１４】実施の形態の光通信表示装置、光通信装置の処理例のフローチャートである。
【図１５】実施の形態の被装着体に取り付けられる光通信装置の処理例のフローチャートである。
【図１６】実施の形態の光通信表示装置、光通信装置の他の処理例のフローチャートである。
【図１７】実施の形態の提供データの表示位置の説明図である。
【図１８】実施の形態の光通信表示装置、光通信装置の他の構成例のブロック図である。
【図１９】実施の形態の暗号化通信の際の通信管理テーブルの説明図である。
【図２０】実施の形態の被装着体に取り付けられる光通信装置のログ保存を含む処理例のフローチャートである。
【図２１】実施の形態のログデータ及びランキングデータの説明図である。
【図２２】実施の形態の光通信表示装置、光通信装置のログ保存を含む処理例のフローチャートである。
【図２３】実施の形態のログデータ及びランキングデータの説明図である。
【図２４】実施の形態の集計サーバを含むシステムの説明図である。
【図２５】実施の形態の被装着体に取り付けられる光通信装置のログ保存及び送信を含む処理例のフローチャートである。
【図２６】実施の形態の光通信表示装置、光通信装置のログ保存及び送信を含む処理例のフローチャートである。
【符号の説明】
【０１３４】
１  光通信表示装置、２  表示部、２ａ  表示パネル部、３  撮像部、４  光送信部、４ａ  発光部、５  発光制御部、６  撮像制御部、７  表示制御部、８  光受信部、９  データ復調部、１０  システムコントローラ、１１  操作入力部、１２  メモリ部、３０  光通信装置、４０  表示装置、５０  光通信装置
【図１】
2008199569.tif 000003
【図２】
2008199569.tif 000004
【図３】
2008199569.tif 000005
【図４】
2008199569.tif 000006
【図５】
2008199569.tif 000007
【図６】
2008199569.tif 000008
【図７】
2008199569.tif 000009
【図８】
2008199569.tif 000010
【図９】
2008199569.tif 000011
【図１０】
2008199569.tif 000012
【図１１】
2008199569.tif 000013
【図１２】
2008199569.tif 000014
【図１３】
2008199569.tif 000015
【図１４】
2008199569.tif 000016
【図１５】
2008199569.tif 000017
【図１６】
2008199569.tif 000018
【図１７】
2008199569.tif 000019
【図１８】
2008199569.tif 000020
【図１９】
2008199569.tif 000021
【図２０】
2008199569.tif 000022
【図２１】
2008199569.tif 000023
【図２２】
2008199569.tif 000024
【図２３】
2008199569.tif 000025
【図２４】
2008199569.tif 000026
【図２５】
2008199569.tif 000027
【図２６】
2008199569.tif 000028